(57)【要約】【課題】複数の識別情報による変動表示ゲームの停止結果態様が特別結果態様となった場合に、遊技者にとって有利な特別遊技状態を発生させるようにした遊技機において、変動表示ゲームの停止時間を延長しても予告や演出を効率よく行えるようにする。【解決手段】始動記憶手段（遊技制御装置３０）に記憶されて未だ変動表示ゲームの実行前の始動記憶を対象として、対象となる変動表示ゲームよりも以前から当該変動表示ゲームの結果を予告する予告手段（演出制御装置４０）に、延長停止時間の後に実行される変動表示ゲームの結果について、延長停止時間の終了前に予告を行うことを禁止する予告禁止手段を（演出制御装置４０）備える。【選択図】図１４
2010259687.tif 000002
【特許請求の範囲】
【請求項１】
複数の識別情報による変動表示ゲームの停止結果態様が特別結果態様となった場合に、遊技者にとって有利な特別遊技状態を発生させるようにした遊技機において、
前記変動表示ゲームを実行させる権利を所定数の範囲内で始動記憶として記憶可能な始動記憶手段と、
前記始動記憶手段に記憶されて未だ変動表示ゲームの実行前の始動記憶を対象として、対象となる変動表示ゲームよりも以前から当該変動表示ゲームの結果を予告する予告手段と、
前記始動記憶手段に記憶された始動記憶により変動表示ゲームを連続して実行させる場合に、今回の変動表示ゲームの停止結果態様を導出してから次回の変動表示ゲームを開始する間に停止時間を設定する停止時間制御手段を備え、
前記停止時間制御手段は、通常停止時間と、該通常停止時間よりも時間が長い延長停止時間とを設定可能とし、
前記予告手段は、前記延長停止時間の後に実行される変動表示ゲームの結果について、前記延長停止時間の終了前に前記予告を行うことを禁止する予告禁止手段を備えたことを特徴とする遊技機。
【請求項２】
前記始動記憶に対応して記憶されている前記特別遊技状態の発生を決定するための大当り乱数の値を、当該始動記憶に対応する変動表示ゲームの実行前に事前に判定する大当り事前判定手段と、
前記始動記憶に対応して記憶されている前記変動表示ゲームの変動パターンを決定するための変動パターン乱数の値を、当該始動記憶に対応する変動表示ゲームの実行前に事前に判定する変動パターン事前判定手段と、
を備え、
前記予告手段は、前記大当り事前判定手段と前記変動パターン事前判定手段の判定結果に基づいて前記予告を行うことを特徴とする請求項１に記載の遊技機。
【請求項３】
前記予告手段は、前記予告の対象となる変動表示ゲームよりも以前に実行される複数の変動表示ゲームに亘って連続的に予告を行うものとし、
前記予告禁止手段は、前記延長停止時間が設定される変動表示ゲームの後に実行される変動表示ゲームの結果について、前記延長停止時間が間に設定される複数の変動表示ゲームに亘る前記連続的な予告を禁止することを特徴とする請求項２に記載の遊技機。
【請求項４】
前記停止時間制御手段により設定された延長停止時間において、所定の演出を行う停止期間演出手段を備えたことを特徴とする請求項３に記載の遊技機。
【請求項５】
開状態と閉状態とに変換可能に構成されるとともに遊技球の入賞に基づき前記変動表示ゲームの実行権利を付与する普通電動入賞装置と、
前記特別遊技状態の終了後、所定回数変動表示ゲームが実行される期間を限度として、前記普通電動入賞装置の変換制御を変更することで前記変動表示ゲームの実行権利の獲得を容易にした特定遊技状態を発生させる特定遊技状態発生手段と、
を備え、
前記停止時間制御手段は、前記特定遊技状態が終了する所定回数目の変動表示ゲームに対して延長停止時間を設定するものとし、
前記停止期間演出手段は、前記延長停止時間において前記特定遊技状態が終了する旨を報知するための演出を行うことを特徴とする請求項４に記載の遊技機。
【請求項６】
前記特定遊技状態発生手段は、該特定遊技状態が終了することとなる変動表示ゲームの回数を予め定められた複数通りの回数のうちから選択する特定遊技状態継続数選択手段を含み、
前記停止時間制御手段は、前記特定遊技状態が終了することとなる変動表示ゲームの実行回数となる前であっても前記特定遊技状態継続数選択手段の選択肢として設定されている回数と同回数目の変動表示ゲームに対して延長停止時間を設定するものとし、
前記停止期間演出手段は、前記延長停止時間において、その結果により前記特定遊技状態が継続するか否かを報知する演出ゲームを行うことを特徴とする請求項５に記載の遊技機。
【請求項７】
前記予告禁止手段が予告を禁止した場合に、前記予告手段は、前記延長停止時間が設定された変動表示ゲーム以降の変動表示ゲームにおいて前記予告を行うことを特徴とする請求項１から請求項６の何れか一項に記載の遊技機。
【発明の詳細な説明】
【技術分野】
【０００１】
本発明は、複数の識別情報による変動表示ゲームの停止結果態様が特別結果態様となった場合に、遊技者にとって有利な特別遊技状態を発生させるようにした遊技機に関する。
【背景技術】
【０００２】
従来、複数の識別情報による変動表示ゲームを表示可能な変動表示装置と、始動入賞口へ遊技球が入賞した場合に、変動表示ゲームの実行権利を始動記憶として記憶する始動記憶手段とを備え、該始動記憶に基づき変動表示ゲームを実行するようにした遊技機が知られている。このような遊技機においては、始動入賞口への遊技球の入賞時に始動記憶に対応して乱数値も抽出記憶し、該乱数値が大当り値であった場合には、該変動表示ゲームの結果態様を複数種の特別結果のうちの何れか１つで導出するとともに、遊技者にとって有利な特別遊技状態を発生するようにしている。
【０００３】
近年、始動記憶手段に始動記憶が記憶されて変動表示ゲームを待機している状態において、該始動記憶に対応して記憶されている乱数値を先読み判定し、該乱数値が前記大当り値であった場合に、その時点から、すなわち当該始動記憶よりも前に記憶されていた始動記憶の消化により実行された変動表示ゲーム中において特別遊技状態が発生する旨を予告報知する機能を備えた遊技機が知られている（例えば、特許文献１参照）。
【０００４】
また、従来、特別遊技状態の終了後、普図の変動表示ゲームの実行時間を短縮することで、単位時間あたりの普電（始動入賞口）の開放回数および開放時間を多くして、始動入賞口への遊技球の入賞率を高めるようにした特定遊技状態を発生させる遊技機も知られている。このような遊技機の場合、特定遊技状態の継続期間を変動表示ゲームの実行回数で制限する場合が多く、その実行回数（普図時短回数）を複数パターンで決定可能とした遊技機も考えられている。そして、従来は、乱数等の抽出結果で決定した普図時短回数を変動表示ゲームの結果を導出する時期と同じ時期に導出（報知）するようにしていた（例えば、特許文献２参照）。
【先行技術文献】
【特許文献】
【０００５】
【特許文献１】特開平０８−２４３２２４号公報
【特許文献２】特開平１１−２６２５６６号公報
【発明の概要】
【発明が解決しようとする課題】
【０００６】
しかしながら、従来、普図時短回数の導出は変動表示ゲームの導出時期と同じ時期であることから、特別遊技状態の終了後に実際に特定遊技状態が発生した時点では、既に普図時短回数が報知されてしまっているので、少ない普図時短回数が決定されていた場合には、特定遊技状態中の期待感が低下してしまう。そこで、特別遊技状態の発生時には、普図時短回数を報知しないで、特定遊技状態が発生してから報知することが考えられる。例えば、普図時短回数を５０回と１００回で特定遊技状態を発生させる場合に、５０回目の変動表示ゲームの終了時の停止時間を通常の停止時間よりも長い時間に設定し、その間に、今回で特定遊技状態が終了する旨を報知したり、特定遊技状態が終了するか継続するかをその結果により報知する演出ゲームを行ったりすることが考えられる。
【０００７】
しかし、変動表示ゲームの停止時間を延長すると、始動記憶を対象とする予告報知が効率よく行えないといった弊害が生じてしまう。例えば、変動表示ゲーム中にその間に記憶されている始動記憶に対する予告を行った場合でも、その後に延長された停止時間が挿入されてその間に演出ゲームが実行されると、そのゲームに注目するあまり予告が行われたことを忘れてしまったり、あるいは、複数の変動表示ゲームに亘って連続的に予告を実行する場合には、その間に長時間の停止時間が挿入されると、テンポよく連続予告が実行できなかったり、さらには、停止時間中に予告を行うような場合には、演出ゲームと一緒に予告が行われてしまうことから予告を明確に遊技者に伝えることができない等の問題が生じてしまう。
【０００８】
本発明の目的は、複数の識別情報による変動表示ゲームの停止結果態様が特別結果態様となった場合に、遊技者にとって有利な特別遊技状態を発生させるようにした遊技機において、変動表示ゲームの停止時間を延長しても予告や演出を効率よく行えるようにすることである。
【課題を解決するための手段】
【０００９】
以上の課題を解決するため、請求項１に記載の発明は、複数の識別情報による変動表示ゲームの停止結果態様が特別結果態様となった場合に、遊技者にとって有利な特別遊技状態を発生させるようにした遊技機において、
前記変動表示ゲームを実行させる権利を所定数の範囲内で始動記憶として記憶可能な始動記憶手段と、
前記始動記憶手段に記憶されて未だ変動表示ゲームの実行前の始動記憶を対象として、対象となる変動表示ゲームよりも以前から当該変動表示ゲームの結果を予告する予告手段と、
前記始動記憶手段に記憶された始動記憶により変動表示ゲームを連続して実行させる場合に、今回の変動表示ゲームの停止結果態様を導出してから次回の変動表示ゲームを開始する間に停止時間を設定する停止時間制御手段を備え、
前記停止時間制御手段は、通常停止時間と、該通常停止時間よりも時間が長い延長停止時間とを設定可能とし、
前記予告手段は、前記延長停止時間の後に実行される変動表示ゲームの結果について、前記延長停止時間の終了前に前記予告を行うことを禁止する予告禁止手段を備えたことを特徴とする。
【００１０】
ここで、変動表示ゲームは、変動表示ゲームを表示するための特図表示器で行われるものでもよいし、特図表示器と演出の表示を行う表示装置の両方で行われるものでもよい。
また、「変動表示ゲームの結果を予告」とは、変動表示ゲームの停止結果態様が特別結果態様となることを予告すること、変動表示ゲームの途中結果態様がいわゆるリーチ状態となるリーチ途中結果態様となることを予告すること、変動表示ゲームの途中結果態様がいわゆるリーチ途中結果態様となり停止結果態様がはずれとなるリーチ外れ結果態様となることを予告することなどである。なお、リーチ状態が発生しないで外れとなる場合に同様の予告を行うようにしてもよい。
また、予告は、表示装置での表示（キャラクタや文字情報、記憶画像の変化等）、音声、発光態様、振動、等で行う。なお、予告演出と言い換えてもよい。
また、予告は、予告対象の変動表示ゲームよりも前に実行される変動表示ゲーム中若しくは変動表示ゲームの停止中に行えばよく、複数の変動表示ゲームに亘って連続的に行うものの他、１の変動表示ゲームで行うものでもよい。
【００１１】
請求項１に記載の発明によれば、予告手段は、延長停止時間の後に実行される変動表示ゲームの結果について、延長停止時間の終了前に予告を行うことを禁止する予告禁止手段を備えたので、変動表示ゲームの停止時間を延長しても予告を効率よく行うことができる。すなわち、延長停止時間の終了前に予告が行われて当該予告の対象となる特図変動表示ゲームが延長停止時間の後に行われるような延長停止時間を跨ぐ予告が禁止されることとなる。これにより、延長停止時間の挿入により予告と結果の関連が明確でなくなる等、予告が効率よく行えないといったことを防止できる。
【００１２】
請求項２に記載の発明は、請求項１に記載の遊技機であって、前記始動記憶に対応して記憶されている前記特別遊技状態の発生を決定するための大当り乱数の値を、当該始動記憶に対応する変動表示ゲームの実行前に事前に判定する大当り事前判定手段と、
前記始動記憶に対応して記憶されている前記変動表示ゲームの変動パターンを決定するための変動パターン乱数の値を、当該始動記憶に対応する変動表示ゲームの実行前に事前に判定する変動パターン事前判定手段と、
を備え、
前記予告手段は、前記大当り事前判定手段と前記変動パターン事前判定手段の判定結果に基づいて前記予告を行うことを特徴とする。
【００１３】
ここで、「変動パターン乱数」はリーチの変動パターン（種類）を決定するものであっても良いし、リーチを発生させるか否かを決定するものでもよい。
【００１４】
請求項２に記載の発明によれば、予告手段は、大当り事前判定手段と変動パターン事前判定手段の判定結果に基づいて予告を行うので、予告により特別遊技状態の発生および特定の変動パターンでの変動表示ゲームの発生に対する期待感を高めることができる。
【００１５】
請求項３に記載の発明は、請求項２に記載の遊技機であって、前記予告手段は、前記予告の対象となる変動表示ゲームよりも以前に実行される複数の変動表示ゲームに亘って連続的に予告を行うものとし、
前記予告禁止手段は、前記延長停止時間が設定される変動表示ゲームの後に実行される変動表示ゲームの結果について、前記延長停止時間が間に設定される複数の変動表示ゲームに亘る前記連続的な予告を禁止することを特徴とする。
【００１６】
ここで、「予告」は、変動表示ゲーム中の所定時期あるいはゲーム全般で行うもの、停止期間中に行うもの、それらの組合せで行うものなど何でも良い。また、「連続的に予告」とは、同一あるいは相互に関連性のある予告演出を複数の変動表示ゲームで連続させるもの、変動表示ゲームの進行によりストーリーが発展するものなどである。なお、複数の変動表示ゲームの全てで予告を発生させないで、途中の変動表示ゲームで一旦予告を行わない期間があってもよい。また、予告の対象となる変動表示ゲームにおいても予告を行う場合には、それ以前の変動表示ゲームと対象の変動表示ゲームとで連続的な予告としてもよい。
【００１７】
請求項３に記載の発明によれば、予告手段は、予告の対象となる変動表示ゲームよりも以前に実行される複数の変動表示ゲームに亘って連続的に予告を行うものとし、予告禁止手段は、延長停止時間が設定される変動表示ゲームの後に実行される変動表示ゲームの結果について、延長停止時間が間に設定される複数の変動表示ゲームに亘る連続的な予告を禁止するので、変動表示ゲームの停止時間を延長しても予告を効率よく行うことができる。すなわち、延長停止時間の前や途中から延長停止時間の後に行われる特図変動表示ゲームに亘って連続的に行われるような延長停止時間を跨ぐ連続的な予告が禁止されることとなる。これにより、延長停止時間の挿入により予告と結果の関連が明確でなくなる等の予告に対する不都合や、連続的な予告が明確でなくなったりテンポよく連続的な予告が実行できなかったりする等の連続的な予告に対する不都合を防止でき、連続的な予告が効率よく行えないといったことを防止できる。
【００１８】
請求項４に記載の発明は、請求項３に記載の遊技機であって、前記停止時間制御手段により設定された延長停止時間において、所定の演出を行う停止期間演出手段を備えたことを特徴とする。
【００１９】
ここで、「所定の演出」は、液晶表示装置での画像による演出、音声による演出、発光による演出、振動による演出などである。また、「演出」とは報知や装飾を行うもので、所定の遊技状態の終了報知、所定の遊技状態の継続報知、遊技状態の変更（終了）を決定するゲーム自体やそのゲームの装飾などである。
【００２０】
請求項４に記載の発明によれば、停止時間制御手段により設定された延長停止時間において、所定の演出を行う停止期間演出手段を備えたので、延長された停止時間内で期待感や興趣の高い演出を行うことが可能となる。なお、このような期待感や興趣の高い演出を行う延長停止時間を跨ぐ連続的な予告が禁止されるようになっているので、延長停止時間での演出の興趣が損なわれることがない。
【００２１】
請求項５に記載の発明は、請求項４に記載の遊技機であって、開状態と閉状態とに変換可能に構成されるとともに遊技球の入賞に基づき前記変動表示ゲームの実行権利を付与する普通電動入賞装置と、
前記特別遊技状態の終了後、所定回数変動表示ゲームが実行される期間を限度として、前記普通電動入賞装置の変換制御を変更することで前記変動表示ゲームの実行権利の獲得を容易にした特定遊技状態を発生させる特定遊技状態発生手段と、
を備え、
前記停止時間制御手段は、前記特定遊技状態が終了する所定回数目の変動表示ゲームに対して延長停止時間を設定するものとし、
前記停止期間演出手段は、前記延長停止時間において前記特定遊技状態が終了する旨を報知するための演出を行うことを特徴とする。
【００２２】
ここで「特定遊技状態」は、普通電動入賞装置を開放する際の開放時間を延長する開放期間延長状態、普通電動入賞装置を開放する際の開放パターンを変更する開放パターン変更状態、普通電動入賞装置の開放契機である普図変動表示ゲームの当り確率を高めた普図確率変動状態、普図変動表示ゲームの実行時間を短縮した普図時短状態、上記状態を組み合わせた状態などである。なお、特別遊技状態を発生するか否かを決定するための変動表示ゲーム（特図変動表示ゲーム）で、特別遊技状態が発生する確率を高めた状態（確率変動状態）を組み合わせてもよい。
【００２３】
請求項５に記載の発明によれば、停止時間制御手段は、特定遊技状態が終了する所定回数目の変動表示ゲームに対して延長停止時間を設定するものとし、停止期間演出手段は、延長停止時間において特定遊技状態が終了する旨を報知するための演出を行うので、停止時間の延長により特定遊技状態の終了を確実に報知することができる。また、特定遊技状態の終了を特別遊技状態の発生時に予め報知するよりも、特定遊技状態中の期待感を高めることができる。なお、このような期待感や興趣の高い演出を行う延長停止時間を跨ぐ連続的な予告が禁止されるようになっているので、延長停止時間での演出の興趣が損なわれることがない。
【００２４】
請求項６に記載の発明は、請求項５に記載の遊技機であって、前記特定遊技状態発生手段は、該特定遊技状態が終了することとなる変動表示ゲームの回数を予め定められた複数通りの回数のうちから選択する特定遊技状態継続数選択手段を含み、
前記停止時間制御手段は、前記特定遊技状態が終了することとなる変動表示ゲームの実行回数となる前であっても前記特定遊技状態継続数選択手段の選択肢として設定されている回数と同回数目の変動表示ゲームに対して延長停止時間を設定するものとし、
前記停止期間演出手段は、前記延長停止時間において、その結果により前記特定遊技状態が継続するか否かを報知する演出ゲームを行うことを特徴とする。
【００２５】
ここで、特定遊技状態で実行可能なゲーム回数の選択肢が、例えば、３０、５０、１００回とあり、決定された回数が１００回であった場合、３０回と５０回の両方に延長停止時間を設定しても良いし、何れか一方に延長停止時間を設定してもよい。また、両方に延長停止時間を設定しないパターンを設けてもよい。３０回と５０回目に延長停止時間を設定した場合には、その間で特定遊技状態が継続するか否かを報知する演出ゲームを行い、１００回目は特定遊技状態が終了する旨を報知するための演出を行う。なお、３０回や５０回で特定遊技状態を終了させる場合には演出ゲームの後で特定遊技状態が終了する旨の報知も行う。
【００２６】
請求項６に記載の発明によれば、停止時間制御手段は、特定遊技状態が終了することとなる変動表示ゲームの実行回数となる前であっても特定遊技状態継続数選択手段の選択肢として設定されている回数と同回数目の変動表示ゲームに対して延長停止時間を設定するものとし、停止期間演出手段は、延長停止時間において、その結果により特定遊技状態が継続するか否かを報知する演出ゲームを行うので、停止時間の延長により特定遊技状態の終了を確実に報知することができる。また、特定遊技状態の終了を特別遊技状態の発生時に予め報知するよりも、特定遊技状態中の期待感を高めることができるし、特定遊技状態が継続するか否かを興趣性の高い態様で報知することができる。なお、このような期待感や興趣の高い演出を行う延長停止時間を跨ぐ連続的な予告が禁止されるようになっているので、延長停止時間での演出の興趣が損なわれることがない。
【００２７】
請求項７に記載の発明は、請求項１から請求項６の何れか一項に記載の遊技機であって、前記予告禁止手段が予告を禁止した場合に、前記予告手段は、前記延長停止時間が設定された変動表示ゲーム以降の変動表示ゲームにおいて前記予告を行うことを特徴とする。
【００２８】
ここで、延長停止時間の後に行う予告は、複数の変動表示ゲームに亘る連続的な予告でも良いし、一の変動表示ゲームで行うものでも良い。
【００２９】
請求項７に記載の発明によれば、予告禁止手段が予告を禁止した場合に、予告手段は、延長停止時間が設定された変動表示ゲーム以降の変動表示ゲームにおいて予告を行うので、延長停止時間の設定により予告が中止になってしまうことを防止でき、予告による期待感の向上は維持することができる。
【発明の効果】
【００３０】
本発明によれば、予告手段は、延長停止時間の後に実行される変動表示ゲームの結果について、延長停止時間の終了前に予告を行うことを禁止する予告禁止手段を備えたので、変動表示ゲームの停止時間を延長しても予告を効率よく行うことができる。すなわち、延長停止時間の終了前に予告が行われて当該予告の対象となる特図変動表示ゲームが延長停止時間の後に行われるような延長停止時間を跨ぐ予告が禁止されることとなる。これにより、延長停止時間の挿入により予告と結果の関連が明確でなくなる等、予告が効率よく行えないといったことを防止できる。
【図面の簡単な説明】
【００３１】
【図１】本発明を適用した一実施の形態の構成を示す遊技機の遊技盤の正面図である。
【図２】遊技機の制御系の一部を示すブロック図である。
【図３】メイン処理を説明するためのフローチャートである。
【図４】タイマ割込み処理を説明するためのフローチャートである。
【図５】遊技状態を説明するための状態遷移図である。
【図６】特図変動表示ゲームにおける各大当りの振り分け率を示す図である。
【図７】特図ゲーム処理を説明するためのフローチャートである。
【図８】始動口２ＳＷ監視処理を説明するためのフローチャートである。
【図９】始動口１ＳＷ監視処理を説明するためのフローチャートである。
【図１０】連続予告演出コマンドを説明するための図である。
【図１１】変動パターン乱数の判定値を説明するための図である。
【図１２】変動パターン乱数の判定値を説明するための図である。
【図１３】特図変動停止処理を説明するためのフローチャートである。
【図１４】予告の禁止制御を説明するためのタイムチャートである。
【図１５】予告が禁止される場合の表示部での表示を説明するための図である。
【図１６】連続予告設定処理を説明するためのフローチャートである。
【図１７】連続予告停止処理を説明するためのフローチャートである。
【図１８】コマンドの送信タイミングを説明するためのタイムチャートである。
【発明を実施するための形態】
【００３２】
以下、この発明の実施形態について図面を参照して説明する。ここでは、本発明にかかる遊技機の適例としてのパチンコ遊技機について説明を行う。図１には、ガイドレール２で囲まれ、遊技球を発射して遊技を行う遊技領域１ａが前面側に形成された遊技盤１を示した。なお、遊技機の外枠であって島設備に固定される機枠や、遊技領域１ａの前面を覆うクリア部材保持枠、遊技盤１を取り付ける前面枠、遊技領域１ａの下側に設けられ遊技球を収容する上皿、下皿を有するとともに、遊技者が発射操作を行うための操作ハンドルを備えた操作パネルなどは図示を省略している。
【００３３】
遊技盤１は、各種部材の取付ベースとなる平板状の遊技盤本体１ｂ（木製もしくは合成樹脂製）を備え、該遊技盤本体１ｂの前面にガイドレール２で囲まれた遊技領域１ａを有している。また、遊技盤本体１ｂの前面であってガイドレール２の外側には、前面構成部材３，３，…が取り付けられている。そして、このガイドレール２で囲まれた遊技領域１ａ内に発射装置から遊技球（打球；遊技媒体）を発射して遊技を行うようになっている。
【００３４】
遊技領域１ａの略中央にはセンターケース２０が取り付けられている。このセンターケース２０に形成された窓部２２の後方には、変動表示ゲームをなす特図変動表示ゲームに対応して複数の識別情報を変動表示する飾り特図変動表示ゲームを実行可能な変動表示装置としての表示装置４３が配されるようになっている。この表示装置４３は、例えば、液晶ディスプレイを備え、表示内容が変化可能な表示部４３ａがセンターケース２０の窓部２２を介して遊技盤１の前面側から視認可能となるように配されている。なお、表示装置４３は液晶ディスプレイを備えるものに限らず、ＥＬ、ＣＲＴ等のディスプレイを備えるものであっても良い。
【００３５】
また、遊技領域１ａ内には、普図始動ゲート４と、普通変動表示ゲームをなす普図変動表示ゲームの未処理回数を表示する普図記憶表示器１５、普通変動表示装置として普図変動表示ゲームを表示する普図表示器５が設けられている。また、遊技領域１ａ内には、第１の始動入賞領域をなす第１始動入賞口１３と、第２の始動入賞領域をなす普通電動入賞装置７と、が設けられている。そして、遊技球が第１始動入賞口１３に入賞した場合は、特図変動表示ゲームとして特図１変動表示ゲーム（第１特図変動表示ゲーム）が実行され、遊技球が普通電動入賞装置７に入賞した場合は、特図変動表示ゲームとして特図２変動表示ゲーム（第２特図変動表示ゲーム）が実行されるようになっている。
【００３６】
また、遊技領域１ａ内には、変動表示装置として特図１変動表示ゲームを表示する特図１表示器８と、変動表示装置として特図２変動表示ゲームを表示する特図２表示器９と、が設けられている。また、特図１変動表示ゲームの未処理回数（特図１始動記憶）を表示する特図１記憶表示器１８と、特図２変動表示ゲームの未処理回数（特図２始動記憶）を表示する特図２記憶表示器１９が設けられている。なお、普図記憶表示器１５、普図表示器５、特図１表示器８、特図２表示器９、特図１記憶表示器１８、特図２記憶表示器１９は、遊技状態を表す遊技状態表示ＬＥＤ（図示略）と併せて、セグメントＬＥＤとして一体に設けられている。なお、特別遊技状態となった場合のラウンド数（２Ｒ，１５Ｒ）を表示するラウンド数表示器（ＬＥＤ）を備えても良い。
【００３７】
さらに遊技領域１ａには、上端側が手前側に倒れる方向に回動して開放可能になっているアタッカ形式の開閉扉１０ａを有し、特図１変動表示ゲーム、特図２変動表示ゲームの結果如何によって大入賞口を閉じた状態（遊技者にとって不利な状態）から開放状態（遊技者にとって有利な状態）に変換する特別変動入賞装置１０、入賞口などに入賞しなかった遊技球を回収するアウト穴１１が設けられている。この他、遊技領域１ａには、一般入賞口１２，１２，…、打球方向変換部材としての風車１４、多数の障害釘（図示略）などが配設されている。
【００３８】
普図始動ゲート４内には、該普図始動ゲート４を通過した遊技球を検出するためのゲートＳＷ４ａ（図２に図示）が設けられている。そして、遊技領域１ａ内に打ち込まれた遊技球が普図始動ゲート４内を通過すると、普図変動表示ゲームが行われる。また、普図変動表示ゲームを開始できない状態、例えば、既に普図変動表示ゲームが行われ、その普図変動表示ゲームが終了していない状態や、普図変動表示ゲームが当って普通電動入賞装置７が開状態に変換されている場合に、普図始動ゲート４を遊技球が通過すると、普図始動記憶数の上限数未満でならば、普図始動記憶数が１加算されて普図始動記憶が１つ記憶されることとなる。普図始動記憶には、普図変動表示ゲームの当りはずれを決定するための当り判定用乱数値が記憶されるようになっていて、この当り判定用乱数値が判定値と一致した場合に、当該普図変動表示ゲームが当りとなって特別の結果態様（特定結果）が導出されることとなる。また、普図変動表示ゲームの当り確率は、比較的高い確率（例えば２５５／２５６）となっている。なお、普図変動表示ゲームの始動記憶は、ＬＥＤを備える普図記憶表示器１５にて表示されるようになっている。
【００３９】
普図変動表示ゲームは、遊技領域１ａ内に設けられた普図表示器５で実行されるようになっている。普図表示器５は、普通識別情報（普図、普通図柄）としての当りを示すＬＥＤと、普通識別情報としてのはずれを示すＬＥＤとから構成され、二つのＬＥＤを交互に点滅表示することで普通識別情報の変動表示を行い、所定の変動表示時間の経過後、何れか一方のＬＥＤを点灯することで結果を表示するようになっている。なお、表示装置４３の表示領域の一部で普図変動表示ゲームを表示するようにしても良く、この場合は普通識別情報として、例えば、数字、記号、キャラクタ図柄などを用い、これを所定時間変動表示させた後、停止表示させることにより行うようにする。この普図変動表示ゲームの停止表示が特別の結果態様（特定結果）となれば、普図の当りとなって、普通電動入賞装置７の開閉部材７ａ，７ａが所定時間（例えば、０．５秒間）開放される開状態となる。これにより、普通電動入賞装置７に遊技球が入賞しやすくなり、特図２変動表示ゲームの始動が容易となる。
【００４０】
普通電動入賞装置７は左右一対の開閉部材７ａ，７ａを具備し、第１始動入賞口１３の下部に配設され、この開閉部材７ａ，７ａは、常時は遊技球の直径程度の間隔をおいて閉じた閉状態（遊技者にとって不利な状態）を保持している。ただし、上方に第１始動入賞口１３が設けられているので、閉じた状態では遊技球が入賞できないようになっている。そして、普図変動表示ゲームの結果が所定の停止表示態様となった場合には、駆動装置としてのソレノイド（普電ＳＯＬ７ｂ、図２に図示）によって、逆「ハ」の字状に開いて普通電動入賞装置７に遊技球が流入し易い開状態（遊技者にとって有利な状態）に変化させられるようになっている。
【００４１】
第１始動入賞口１３の内部には特図１始動口ＳＷ１３ａ（図２に図示）が備えられ、この特図１始動口ＳＷ１３ａによって遊技球を検出することに基づき、補助遊技としての特図１変動表示ゲーム（特別変動表示ゲーム）を開始する始動権利が発生するようになっている。また、普通電動入賞装置７の内部には特図２始動口ＳＷ７ｄ（図２に図示）が備えられ、この特図２始動口ＳＷ７ｄによって遊技球を検出することに基づき、補助遊技としての特図２変動表示ゲーム（特別変動表示ゲーム）を開始する始動権利が発生するようになっている。この特図１変動表示ゲームを開始する始動権利は、所定の上限数（例えば４）の範囲内で特図１始動記憶（第１特図始動記憶）として記憶される。そして、この特図１始動記憶は、特図１記憶表示器１８に表示される。また、特図１記憶表示器１８の表示に対応して表示部４３ａに第１保留数（始動記憶）表示５１（例えば、図１４参照）がなされる。また、特図２変動表示ゲームを開始する始動権利は、所定の上限数（例えば４）の範囲内で特図２始動記憶（第２特図始動記憶）として記憶される。そして、この特図２始動記憶は、特図２記憶表示器１９にて表示される。また、特図２記憶表示器１９の表示に対応して表示部４３ａに第２保留数（始動記憶）表示５２（例えば、図１４参照）がなされる。なお、以下の説明において、特図１変動表示ゲームと特図２変動表示ゲームを区別しない場合は、単に特図変動表示ゲームと称する。
【００４２】
特図１変動表示ゲーム、特図２変動表示ゲームは、遊技領域１ａ内に設けられた特図１表示器８（変動表示装置、第１変動表示装置）、特図２表示器９（変動表示装置、第２変動表示装置）で実行されるようになっており、複数の特別識別情報（特図、特別図柄）を変動表示したのち、所定の結果態様（停止結果態様）を停止表示することで行われる。また、表示装置４３にて各特図変動表示ゲームに対応して複数種類の識別情報（例えば、数字、記号、キャラクタ図柄など）を変動表示させる飾り特図変動表示ゲームが実行されるようになっている。すなわち、特図１表示器８、表示装置４３が特図１変動表示ゲーム（第１変動表示ゲーム）を表示する第１変動表示装置をなし、特図２表示器９、表示装置４３が特図２変動表示ゲーム（第２変動表示ゲーム）を表示する第２変動表示装置をなす。また、特図１表示器８、特図２表示器９、表示装置４３が、複数の識別情報による変動表示ゲームを表示する変動表示装置をなす。そして、この特図変動表示ゲームの結果として、特図１表示器８もしくは特図２表示器９の表示態様が特別結果態様となった場合には、大当りとなって特別遊技状態（いわゆる、大当り状態）となる。また、これに対応して表示装置４３の表示態様も特別結果態様となる。
【００４３】
なお、特図１表示器８、特図２表示器９は、別々の表示器でも良いし同一の表示器ででも良いが、各々独立して、また、同時には実行しないように特図変動表示ゲームが表示される。また、表示装置４３も、特図１変動表示ゲームと特図２変動表示ゲームで別々の表示装置や別々の表示領域を使用するとしても良いし、同一の表示装置や表示領域を使用するとしても良いが、各々独立して、また、同時には実行しないように飾り特図変動表示ゲームが表示される。また、遊技機に特図１表示器８、特図２表示器９を備えずに、表示装置４３のみで特図変動表示ゲームを実行するようにしても良い。なお、後述するように、特図２始動記憶は特図１始動記憶よりも優先的に消化されるようになっており、特図２始動記憶がある場合は、特図１始動記憶があっても特図２変動表示ゲームが実行される。ただし、特図１変動表示ゲームの実行中は、そのゲーム終了を待って特図２変動表示ゲームが実行される。
【００４４】
変動入賞装置としての特別変動入賞装置１０は、上端側が手前側に倒れる方向に回動して開放可能になっているアタッカ形式の開閉扉１０ａによって開閉される大入賞口を備えていて、特別遊技状態中は、大入賞口を閉じた状態から開いた状態に変換することにより大入賞口内への遊技球の流入を容易にさせ、遊技者に所定の遊技価値（賞球）を付与するようになっている。なお、開閉扉１０ａは、例えば、駆動装置としてのソレノイド（大入賞口ＳＯＬ１０ｂ、図２に図示）により駆動される。また、大入賞口の内部（入賞領域）には、該大入賞口に入った遊技球を検出するカウントＳＷ１０ｃ（図２に図示）が配設されている。
【００４５】
また、遊技領域１ａに設けられた各一般入賞口１２には、一般入賞口１２に入った遊技球を検出するための入賞口ＳＷ１２ａ（図２に図示）が配設されている。そして、遊技を開始することにより遊技領域１ａ内に打ち込まれた遊技球が、一般入賞口１２，１２，…、普通電動入賞装置７、第１始動入賞口１３、特別変動入賞装置１０等の入賞口の何れかに入賞すると、それぞれの入賞口に対応した所定数の賞球が払出制御装置１２５（図２に図示）によって払い出されるようになっている。払出制御装置１２５は、遊技制御装置３０の制御の下で排出制御を制御して所定数の賞球が払い出されるようにする。
【００４６】
また、図２に示すように、遊技機１００は、特図１表示器８、特図２表示器９において行われる特図変動表示ゲームの制御を行う遊技制御手段としての遊技制御装置３０と、この遊技制御装置３０からの演出制御指令に基づき、表示装置４３における飾り特図変動表示ゲームの演出の制御などを行う演出制御手段としての演出制御装置４０と、を備えている。
【００４７】
遊技制御装置３０は、ＣＰＵ３１ａやＲＯＭ３１ｂ、ＲＡＭ３１ｃなどを備える遊技用ワンチップマイコン３１を備えるとともに、入力インタフェース（入力Ｉ／Ｆ）３２、出力インタフェース（出力Ｉ／Ｆ）３３、外部通信端子３４等により構成されている。
【００４８】
遊技用ワンチップマイコン３１は、内部のＣＰＵ３１ａが制御部、演算部を備え、演算制御を行う他、特図変動表示ゲームの大当り、はずれを決定するための大当り乱数や大当りの図柄を決定するための大当り図柄乱数、特図変動表示ゲームでの変動パターンを決定するための変動パターン乱数、普図変動表示ゲームの当り判定用乱数などの各種乱数値なども生成している。
【００４９】
遊技用ワンチップマイコン３１の内部のＲＡＭ３１ｃには、第１始動入賞口１３に設けられた特図１始動口ＳＷ１３ａ、普通電動入賞装置７に設けられた特図２始動口ＳＷ７ｄのオン信号などを記憶する記憶領域や、前記各種乱数値の記憶領域、並びに、ＣＰＵ３１ａの作業領域等を備えている。即ち、ＲＡＭ３１ｃには、ＣＰＵ３１ａにより検出された遊技球の入賞が始動入賞として記憶されるようになっている。
【００５０】
遊技用ワンチップマイコン３１の内部のＲＯＭ３１ｂには、遊技上の制御プログラムや制御データが書き込まれている他、上述の各種乱数値に対応して、各特図変動表示ゲームの大当り発生を判定するための大当り判定値、大当りの図柄を決定するための大当り図柄判定値、変動パターンを決定するための変動パターン判定値などが記憶されている。また、普図変動表示ゲームの当り判定値、普図変動表示ゲームの変動パターン（変動表示時間として第１の変動表示時間、第２の変動表示時間）も記憶されている。
【００５１】
また、ＣＰＵ３１ａは、始動入賞に基づいて各特図変動表示ゲーム（飾り特図変動表示ゲームを含む）を開始させる際に、当該特図変動表示ゲームでリーチを発生させるか否かや、識別情報の変動表示時間を含む変動パターンなどを決定する。
【００５２】
また、入力インタフェース３２には、ローパスフィルタ及びバッファーゲートを介して、特図１始動口ＳＷ１３ａ、特図２始動口ＳＷ７ｄ、入賞口ＳＷ１２ａ，…、ゲートＳＷ４ａ、カウントＳＷ１０ｃ、ガラス枠開放ＳＷ１４６、遊技機枠開放ＳＷ１２１、球切れＳＷ１２２、などが接続されている。そして、入力インタフェース３２は、これらから入力された各種信号を中継し、遊技用ワンチップマイコン３１に対し出力する。なお、ガラス枠開放ＳＷ１４６は、クリア部材保持枠が開放されていることを検出するものであり、遊技機枠開放ＳＷ１２１は、前面枠が開放されていることを検出するものである。また、球切れＳＷ１２２は、島設備から供給された遊技球を排出装置に誘導するシュートに設けられ、シュート内の遊技球がなくなったことを検出するものである。
【００５３】
また、出力インタフェース３３には、遊技用ワンチップマイコン３１から出力される各種の制御信号が入力される。これら制御信号は、該出力インタフェース３３により中継されて、図示しない出力ポート及びドライバを介して、特図１表示器８、特図１記憶表示器１８、特図２表示器９、特図２記憶表示器１９、普図表示器５、普図記憶表示器１５、普電ＳＯＬ７ｂ、大入賞口ＳＯＬ１０ｂ、遊技機外部の管理装置などと接続する外部端子板１６、払出制御装置１２５、演出制御装置４０に出力される。
【００５４】
演出制御装置４０は、演算処理用ＣＰＵ４０ａ、ＲＯＭ４０ｂ、ＲＡＭ４０ｃ等を備えるとともに、通信インタフェース（通信Ｉ／Ｆ）４０ｄ、入出力インタフェース（入出力Ｉ／Ｆ）４０ｅを備えている。また、画像や映像データが記憶された画像ＲＯＭ４０ｆ、グラフィックプロセッサとしてのＶＤＰ（Video Display Processor）４０ｇ、音声データが記憶された音ＲＯＭ４０ｈ、音の出力を制御する音ＬＳＩ４０ｉを備えている。
【００５５】
この演出制御装置４０は、通信インタフェース４０ｄを介して遊技制御装置３０から受信した各種信号（演出制御データ（各種コマンドなど））に基づいて（遊技制御装置３０の制御の下に）遊技の演出の制御を行うものである。また、入出力インタフェース４０ｅには、遊技機の前面に設けられた操作ボタン４１からの検出信号が入力されるようになっており、演出制御装置４０は、この検出信号に基づき（遊技制御装置３０の制御の下に）遊技の演出の制御を行うようになっている。
【００５６】
さらに、入出力インタフェース４０ｅには、ＣＰＵ４０ａから出力される各種の制御信号が入力され、これら制御信号は、該入出力インタフェース４０ｅにより中継されて、図示しない出力ポート及びドライバを介して遊技盤１に設けられる可動演出装置の役物駆動モータ４２、遊技盤１や該遊技盤１の前方を覆うクリア部材保持枠に設けられた装飾用のＬＥＤを備える各種ＬＥＤ基板４４などに出力され、遊技の演出が行われるようになっている。なお、ＣＰＵ４０ａから出力される制御信号のうち、画像の制御に関する制御信号は、ＣＰＵ４０ａからＶＤＰ４０ｇに出力され、ＶＤＰ４０ｇから該制御信号に基づく画像データが表示装置４３に出力される。また、音声の制御に関する制御信号は、ＣＰＵ４０ａから音ＬＳＩ４０ｉに出力され、音ＬＳＩ４０ｉから該制御信号に基づく音声データがスピーカ４５に出力される。
【００５７】
また、遊技制御装置３０には、電源供給装置（図示略）から電力が供給されており、その他の装置にも電源供給装置から電力が供給されるようになっている。さらに、電源供給装置には、停電時等の外部からの電力の供給が途絶えた場合でも電力を供給可能とするためのバックアップ電源が備えられ、停電時等に各制御装置の揮発性メモリに保存されたデータの消失を防止するようになっている。
【００５８】
そして、これらの制御装置においては、以下のような遊技制御が行われる。
遊技制御装置３０では、遊技に関する処理として、主に図３に示すメイン処理と、所定時間ごと（例えば、２ｍｓｅｃごと）に行われる図４に示すタイマ割込み処理とを行う。
【００５９】
メイン処理では、プログラム全体の制御を行うようになっている。図３に示すように、メイン処理においては、はじめにプログラム開始時の処理を行う。このプログラム開始時の処理として、まず、電源投入時の初期化処理（ステップＳ１）を行い、そして、停電復旧処理（ステップＳ２）を行う。
【００６０】
次に、メインループ処理としてループの処理を行う。このループの処理では、まず、割込みタイマを起動する処理（ステップＳ３）を行って、ＣＴＣ（カウンタ  タイマ  サーキット）を起動する。次に、割込みを禁止する処理（ステップＳ４）を行い、大当り乱数や大当り図柄乱数などの乱数の初期値を更新して乱数の時間的な規則性を崩すための初期値乱数更新処理（ステップＳ５）を行う。その後、割込みを許可する処理（ステップＳ６）を行う。なお、初期値乱数更新処理（ステップＳ５）では、特図１変動表示ゲーム用の乱数および特図２変動表示ゲーム用の乱数のそれぞれについて同様の処理がなされる。
【００６１】
そして、ＲＡＭ３１ｃの停電検査領域をチェックし、停電が発生したか否かの判定（ステップＳ７）を行う。なお、停電検査領域には、停電により遊技機の電源が遮断された場合に、チェックデータが設定されるようになっており、通常時はチェックデータが記憶されていない。よって、このチェックデータの有無を判定することで、停電が発生したか否かを判定することができる。
【００６２】
停電が発生したか否かの判定（ステップＳ７）において、停電が発生していない場合（ステップＳ７；Ｎｏ）は、上述の割込みを禁止する処理（ステップＳ４）に戻り、以降、電源の遮断がなければ割込みを禁止する処理（ステップＳ４）から停電が発生したか否かの判定（ステップＳ７）を繰り返し行う。
【００６３】
一方、停電が発生したか否かの判定（ステップＳ７）において、停電が発生した場合（ステップＳ７；Ｙｅｓ）は、停電時処理（ステップＳ８）を行う。なお、停電発生の直後は、バックアップ電源により停電発生時の処理を実行可能な電力が供給されるようになっている。
【００６４】
なお、この停電時処理（ステップＳ８）では、まず、割り込みを禁止する処理を行う。そして、全出力ポートをＯＦＦにする処理を行い、停電検査領域をクリアする処理を行う。さらに、停電復旧検査領域に停電復旧検査領域チェックデータをセーブする処理を行った後、ＲＡＭ３１ｃの電源遮断時のチェックサムを算出する処理を行い、ＲＡＭ３１ｃへのアクセスを禁止する処理を行って遊技機の電源遮断を待つ。このように、停電復旧検査領域に停電復旧検査領域チェックデータをセーブするとともに、電源遮断時のチェックサムを算出することで、電源の遮断の前にＲＡＭ３１ｃに記憶されていた情報が正しくバックアップされているかを電源投入時に判断することができる。
【００６５】
次に、タイマ割込み処理について説明する。図４に示すように、このタイマ割込み処理においては、まず、レジスタのデータを待避する処理（ステップＳ１０）を行う。次に、各種センサ（特図１始動口ＳＷ１３ａ、特図２始動口ＳＷ７ｄ、ゲートＳＷ４ａ、入賞口ＳＷ１２ａ，１２ａ，…、カウントＳＷ１０ｃ、ガラス枠開放ＳＷ１４６、遊技機枠開放ＳＷ１２１、球切れＳＷ１２２など）からの入力を処理する入力処理（ステップＳ１１）を行う。そして、各種処理でセットされた出力データに基づき、ソレノイド（大入賞口ＳＯＬ１０ｂ、普電ＳＯＬ７ｂ）等のアクチュエータの駆動制御を行うための出力の処理を行う出力処理（ステップＳ１２）を行う。
【００６６】
次に、各種処理で送信バッファにセットされたコマンドを演出制御装置４０等に出力するコマンド送信処理（ステップＳ１３）を行う。そして、乱数更新処理（ステップＳ１４）を行う。この乱数更新処理（ステップＳ１４）では、特図変動表示ゲームの当りはずれを判定するための大当り乱数や、特図変動表示ゲームの大当り図柄を判定するための大当り図柄乱数の更新を行う。なお、特図に関する乱数は、特図１変動表示ゲーム用の乱数および特図２変動表示ゲーム用の乱数のそれぞれについて同様の処理がなされる。また、普図変動表示ゲームの当りはずれを判定するための当り乱数や、特図変動表示ゲームでの変動パターンを決定するための変動パターン乱数の更新も行う。
【００６７】
次に、特図１始動口ＳＷ１３ａ、特図２始動口ＳＷ７ｄ、ゲートＳＷ４ａ、入賞口ＳＷ１２ａ，１２ａ，…、カウントＳＷ１０ｃから信号の入力があるか否か（遊技球の検出を示す信号が入力されているか否か）の監視や、エラーの監視を行う入賞口スイッチ／エラー監視処理（ステップＳ１５）を行う。そして、特図変動表示ゲームに関する処理を行う特図ゲーム処理（ステップＳ１６）、普図変動表示ゲームに関する処理を行う普図ゲーム処理（ステップＳ１７）を行う。
【００６８】
次に、遊技機１００に設けられ、遊技に関する各種情報を表示するセグメントＬＥＤに関する処理を行うセグメントＬＥＤ編集処理（ステップＳ１８）を行う。そして、外部の管理装置に出力する信号を出力バッファにセットする処理を行う外部情報編集処理（ステップＳ１９）を行う。次に、割込み終了宣言をする処理（ステップＳ２０）を行い、待避したレジスタのデータを復帰する処理（ステップＳ２１）を行った後、割込みを許可する処理（ステップＳ２２）を行い、タイマ割込み処理を終了する。
【００６９】
そして、遊技制御装置３０では、以上のような処理のうち主に普図ゲーム処理（ステップＳ１７）において、普図始動ゲート４に備えられたゲートＳＷ４ａからの遊技球の検出信号の入力に基づき、普図の当り判定用乱数値を抽出して普図始動記憶として記憶する。その後、当該普図始動記憶に基づく普図変動表示ゲームの開始時に記憶されている当り判定用乱数値をＲＯＭ３１ｂに記憶されている判定値と比較し、普図変動表示ゲームの当り外れを判定する処理を行う。そして、普図表示器５で普通識別情報を所定時間変動表示した後、停止表示する普図変動表示ゲームを表示する処理を行う。この普図変動表示ゲームの結果が当りの場合は、普図表示器５に特別の結果態様（特定結果）を表示するとともに、普電ＳＯＬ７ｂを動作させ、普通電動入賞装置７の開閉部材７ａ，７ａを所定時間（例えば、０．５秒間）上述のように開放する制御を行う。なお、普図変動表示ゲームの結果がはずれの場合は、普図表示器５にはずれの結果態様を表示する制御を行う。
【００７０】
普通電動入賞装置７の動作状態には、通常動作状態（第１動作状態）と、時短動作状態（第２動作状態）の二つの動作状態があり、遊技制御装置３０では何れかの動作状態を設定するようになっている。すなわち、遊技制御装置３０が、普通電動入賞装置７の動作状態を設定する動作状態設定手段をなす。通常動作状態は、普図変動表示ゲームの変動表示時間が第１の変動表示時間（例えば３０秒）とされる。また、普図変動表示ゲームが当り結果となって普通電動入賞装置７が開放される場合の開放態様は、開放時間が第１開放時間（例えば０．５秒）とされ、普図変動表示ゲームの１回の当り結果に対する開放回数が第１開放回数（例えば１回）とされる。また、時短動作状態は、普通電動入賞装置７の動作状態が、通常動作状態に比べて開放状態となりやすい状態である。この時短動作状態においては、上述の普図変動表示ゲームの実行時間が通常動作状態における長い実行時間である第１の変動表示時間よりも短い第２の変動表示時間となるように制御され（例えば、１秒）、これにより、単位時間当りの普通電動入賞装置７の開放回数が実質的に多くなるように制御される（普図時短状態）。また、時短動作状態における、普図変動表示ゲームが当り結果となって普通電動入賞装置７が開放される場合の開放態様は、開放時間が第２開放時間（例えば１．５秒）とされ（開放期間延長状態）、普図変動表示ゲームの１回の当り結果に対する開放回数が第２開放回数（例えば３回）とされる（開放パターン変更状態）。また、本実施形態の遊技機では、普図変動表示ゲームが当りとなる確率は常に２５５／２５６となっている。なお、通常動作状態ではこの確率よりも低くし、時短動作状態でのみこの確率となるように制御（普図確率変動状態）してもよい。すなわち、時短動作状態は通常動作状態よりも普通電動入賞装置７の開放回数が増加され、普通電動入賞装置７に遊技球が入賞しやすくなり、特図２変動表示ゲームの始動が容易となる状態である。
【００７１】
また、遊技制御装置３０では、後に詳細に説明するが特図ゲーム処理（ステップＳ１６）において、第１始動入賞口１３に備えられた特図１始動口ＳＷ１３ａからの遊技球の検出信号の入力に基づき、特図１変動表示ゲームの大当り乱数を抽出してＲＡＭ３１ｃに所定の上限数（例えば４）まで特図１始動記憶として記憶する処理を行う。同様に、普通電動入賞装置７に備えられた特図２始動口ＳＷ７ｄからの遊技球の検出信号の入力に基づき、特図２変動表示ゲームの大当り乱数を抽出してＲＡＭ３１ｃに所定の上限数（例えば４）まで特図２始動記憶として記憶する処理を行う。
【００７２】
また、特図１始動記憶に基づく特図１変動表示ゲームの開始時に、特図１始動記憶に記憶されている大当り乱数をＲＯＭ３１ｂに記憶されている特図１変動表示ゲーム用の大当り判定値（特定値）と比較し、特図１変動表示ゲームの当りはずれを判定する処理を行う。また、この処理の後に特図１始動記憶数を１減算する。同様に、特図２始動記憶に基づく特図２変動表示ゲームの開始時に、特図２始動記憶に記憶されている大当り乱数をＲＯＭ３１ｂに記憶されている特図２変動表示ゲーム用の大当り判定値（特定値）と比較し、特図２変動表示ゲームの当りはずれを判定する処理を行う。また、この処理の後に特図２始動記憶数を１減算する。また、特図１始動記憶及び特図２始動記憶の何れの処理においても、変動パターン乱数に基づき変動パターンを決定する処理も行う。また、大当り乱数が大当り判定値と一致する場合には、大当り図柄乱数に基づき特別結果態様を選択する処理を行う。
【００７３】
ここで、特図変動表示ゲームで特別結果態様が導出される確率の状態である確率状態には、通常確率状態（第１確率状態）と、高確率状態（第２確率状態）の二つの確率状態があり、遊技制御装置３０では何れか一つの確率状態を設定するようになっている。高確率状態は、特図変動表示ゲームでの大当り結果となる確率が、通常確率状態に比べて高い状態である。通常確率状態では特定値として所定数の第１判定値が設定され、この特定値（第１判定値）と大当り乱数とを比較し、一致する場合に大当りと判定するようになっている。また、高確率状態では特定値として第１判定値および第１判定値とは別の第２判定値が設定され、この特定値（第１判定値、第２判定値）と大当り乱数とを比較し、一致する場合に大当りと判定するようになっている。すなわち、遊技制御装置３０が、特図変動表示ゲームの結果が特別結果態様となる確率を、通常確率状態と高確率状態との何れかの確率状態で制御可能な特図確率変動手段をなす。
【００７４】
なお、特図変動表示ゲームで特別結果が導出された場合に、所定条件の成立を伴う場合（特定の特別結果態様（確変図柄）である場合）は特別遊技状態の終了後に確率状態を高確率状態とするようにされている。また、特図１変動表示ゲームと特図２変動表示ゲームのどちらの特図変動表示ゲームの結果態様に基づき高確率状態となっても、特図１変動表示ゲーム及び特図２変動表示ゲームの両方が高確率状態となる。なお、高確率状態である場合に特図変動表示ゲームで特別結果が導出された場合には、所定条件の成立を伴う特別結果態様であるか否かや確率状態に拘らず、特図１変動表示ゲーム及び特図２変動表示ゲームの両方が一旦通常確率状態となる。そして、所定条件の成立を伴う特別結果態様であった場合は特別遊技状態の終了後に再び高確率状態となる。また、所定条件の成立を伴わない特別結果態様（通常図柄）であった場合は、特別遊技状態の終了後もそのまま通常確率状態とされる。
【００７５】
また、上述したように普通電動入賞装置７の動作状態としては通常動作状態と時短動作状態とがあり、特図変動表示ゲームでの確率状態としては通常確率状態と高確率状態とがあることから、これらの組合せにより通常遊技状態、確率変動（確変）状態、時短遊技状態の三つの遊技状態が構成され、所定の条件に基づき遊技制御装置３０が何れか一つの遊技状態を設定するようになっている。通常遊技状態は、普通電動入賞装置７の動作状態が通常動作状態であり、特図変動表示ゲームの確率状態が通常確率状態である遊技状態である。また、確率変動状態は、普通電動入賞装置７の動作状態が時短動作状態であり、特図変動表示ゲームの確率状態が高確率状態である遊技状態である。また、時短遊技状態は、普通電動入賞装置７の動作状態が時短動作状態であり、特図変動表示ゲームの確率状態が通常確率状態である遊技状態である。すなわち、時短遊技状態が、普通電動入賞装置７の変換制御を変更することで変動表示ゲームの実行権利の獲得を容易にした特定遊技状態をなす。また、遊技制御装置３０が、特定遊技状態（時短遊技状態）の発生中においては第２の変動表示ゲーム（特図２変動表示ゲーム）の実行権利の発生を容易にする実行権利発生容易化手段をなす。なお、確率変動状態を特定遊技状態に含んでも良い。
【００７６】
また、遊技制御装置３０では、所定のタイミング（始動入賞時など任意のタイミング）で、特図１始動記憶に記憶されている大当り乱数や大当り図柄乱数、変動パターン乱数などの判定を行う。そして、特図１変動表示ゲームの当りはずれや大当りの図柄（特別結果態様の種類）、リーチの発生の有無を判定する先読み処理を行う。同様に、遊技制御装置３０では、所定のタイミング（始動入賞時など任意のタイミング）で、特図２始動記憶に記憶されている大当り乱数や大当り図柄乱数、変動パターン乱数などの判定を行う。そして、特図２変動表示ゲームの当りはずれや大当りの図柄（特別結果態様の種類）、リーチの発生の有無を判定する先読み処理を行う。これらの判定の結果は、結果情報として遊技制御装置３０から演出制御装置４０へ送信される。なお、特図２始動記憶については遊技状態に関わらず常に先読み処理を行う。また、特図１始動記憶については普通電動入賞装置７の動作状態が時短動作状態である遊技状態（確率変動状態、時短遊技状態）や特別遊技状態では先読み処理を行わない。もしくは、先読み処理は行ってもその結果に基づく予告報知は行わない。
【００７７】
ここで、リーチ（リーチ状態）とは、表示状態が変化可能な表示装置４３を有し、該表示装置４３が時期を異ならせて複数の表示結果を導出表示し、該複数の表示結果が予め定められた特別結果態様となった場合に、遊技状態が遊技者にとって有利な遊技状態（特別遊技状態）となる遊技機において、前記複数の表示結果の一部がまだ導出表示されていない段階で、既に導出表示されている表示結果が特別結果態様となる条件を満たしている表示状態をいう。また、別の表現をすれば、リーチ状態とは、表示装置４３の変動表示制御が進行して表示結果が導出表示される前段階にまで達した時点でも、特別結果態様となる表示条件からはずれていない表示態様をいう。そして、例えば、特別結果態様が揃った状態を維持しながら複数の変動表示領域による変動表示を行う状態（いわゆる全回転リーチ）もリーチ状態に含まれる。また、リーチ状態とは、表示装置４３の表示制御が進行して表示結果が導出表示される前段階にまで達した時点での表示状態であって、前記表示結果が導出表示される以前に決定されている前記複数の変動表示領域の表示結果の少なくとも一部が特別結果態様となる条件を満たしている場合の表示状態をいう。
【００７８】
よって、例えば、特図変動表示ゲームに対応して表示装置４３に表示される飾り変動表示ゲームが、表示装置４３における左、中、右の変動表示領域の各々で所定時間複数の識別情報を変動表示した後、左、右、中の順で変動表示を停止して結果態様を表示するものである場合、左、右の変動表示領域で、特別結果態様となる条件を満たした状態（例えば、同一の識別情報）で変動表示が停止した状態がリーチ状態となる。またこの他に、すべての変動表示領域の変動表示を仮停止した時点で、左、中、右のうち何れか二つの変動表示領域で特別結果態様となる条件を満たした状態（例えば、同一の識別情報となった状態、ただし特別結果態様は除く）をリーチ状態とし、このリーチ状態から残りの一つの変動表示領域を変動表示するようにしても良い。そして、このリーチ状態には複数のリーチ演出が含まれ、特別結果態様が導出される可能性が異なる（信頼度が異なる）リーチ演出として、ノーマルリーチ、スペシャルリーチ１（ＳＰ１リーチ）、スペシャルリーチ２（ＳＰ２リーチ）が設定されている。また、このリーチ状態は、少なくとも特図変動表示ゲームで特別結果態様が導出される場合（大当りとなる場合）における変動表示態様に含まれるようになっている。すなわち、特図変動表示ゲームで特別結果態様が導出されない場合（はずれとなる場合）における変動表示態様に含まれることもある。よって、リーチ状態が発生した状態は、リーチ状態が発生しない場合に比べて大当りとなる可能性の高い状態である。
【００７９】
そして、遊技制御装置３０では、上述したような始動記憶の判定結果に基づき、特図１表示器８もしくは特図２表示器９に、特別識別情報を所定時間変動表示した後、停止表示する特図変動表示ゲームを表示する処理を行う。また、遊技制御装置３０では、上述したような始動記憶の判定結果に基づき、表示装置４３に、特別識別情報を所定時間変動表示した後、停止表示する飾り特図変動表示ゲームを（演出制御装置４０を介して）表示させる処理を行う。すなわち、遊技制御装置３０が、始動記憶に基づき、特図変動表示ゲームを実行制御可能な変動表示制御手段をなす。より具体的には、特図１始動記憶に基づいて特図１変動表示ゲームの実行制御を行う第１実行制御手段として、また、特図２始動記憶に基づいて特図２変動表示ゲームの実行制御を行う第２実行制御手段として機能する。
【００８０】
また、遊技制御装置３０では、特図１始動記憶及び特図２始動記憶が記憶されている場合に、特図２変動表示ゲームの実行制御を特図１変動表示ゲームの実行制御に優先して実行するようになっている。すなわち、遊技制御装置３０が、特図１始動記憶よりも特図２始動記憶を優先消化して実行する変動表示ゲーム制御手段をなす。
【００８１】
図５には、遊技制御装置３０による特図１変動表示ゲームおよび特図２変動表示ゲームの実行制御を説明するための状態遷移図を示した。なお、上述の遊技状態（通常遊技状態、確率変動状態、時短遊技状態）にかかわらず同様の実行制御がなされる。
【００８２】
特図１始動記憶及び特図２始動記憶がない場合は通常状態Ａ１（客待ち状態）となり、特図１始動記憶（特図１始動記憶）及び特図２始動記憶（特図２始動記憶）の発生を待機する状態となる。また、特図１始動記憶や特図２始動記憶がある状態でも、結果がはずれとなる特図変動表示ゲームの終了後や大当り状態Ａ４（特別遊技状態）の終了後には一旦通常状態Ａ１となる。この通常状態Ａ１において、特図２始動記憶がなく特図１始動記憶があると、第１特図変動状態（特図１変動状態）Ａ２に移行し、特図１変動表示ゲームを実行する。また、通常状態Ａ１において、特図２始動記憶があると、第２特図変動状態（特図２変動状態）Ａ３に移行し、特図２変動表示ゲームを実行する。なお、特図２始動記憶を特図１始動記憶よりも優先的に消化するようになっているので、特図２始動記憶がある場合は、特図１始動記憶があっても第２特図変動状態Ａ３に移行し、特図２変動表示ゲームを実行する。
【００８３】
第１特図変動状態Ａ２は特図１変動表示ゲームを実行している状態であり、当該特図１変動表示ゲームの結果として特別結果態様が導出された場合（大当り条件が成立した場合）は、大当り状態Ａ４に移行し、特別遊技状態となる。また、第１特図変動状態Ａ２で、特図１変動表示ゲームの結果が大当り条件の成立ではないはずれであった場合は、通常状態Ａ１に戻る。
【００８４】
第２特図変動状態Ａ３は特図２変動表示ゲームを実行している状態であり、当該特図２変動表示ゲームの結果として特別結果態様が導出された場合（大当り条件が成立した場合）は、大当り状態Ａ４に移行し、特別遊技状態となる。また、第２特図変動状態Ａ３で、特図２変動表示ゲームの結果が大当り条件の成立ではないはずれであった場合は、通常状態Ａ１に戻る。
【００８５】
大当り状態Ａ４は、遊技者に所定の遊技価値を付与可能な特別遊技状態を実行している状態である。そして、この大当り状態Ａ４で特別遊技状態が終了した場合は、通常状態Ａ１に戻る。
【００８６】
また、遊技制御装置３０では、特図変動表示ゲームの結果が大当りの場合は、特図表示器に特別結果態様を表示するとともに、特別遊技状態を発生させる処理を行う。特図表示器に表示する特別結果態様は大当り乱数と同時に抽出して記憶される大当り図柄乱数に基づき決定されるようになっている。なお、特図変動表示ゲームの結果がはずれの場合は、特図１表示器８、特図２表示器９にはずれの結果態様を表示する制御を行う。
【００８７】
また、遊技制御装置３０では、特別遊技状態を発生させる処理として、例えば、大入賞口ＳＯＬ１０ｂにより特別変動入賞装置１０の開閉扉１０ａを開放し、大入賞口内への遊技球の流入を可能とする制御を行う。そして、大入賞口に所定個数（例えば９個）の遊技球が入賞するか、大入賞口の開放から所定時間（例えば２５秒または０．３秒）が経過するかの何れかの条件が達成されるまで大入賞口を開放することを１ラウンドとし、これを所定ラウンド回数（例えば１５回、２回の何れか）継続する（繰り返す）制御（サイクル遊技）を行う。これにより、遊技機１００は、特図変動表示ゲームの結果態様に基づき、遊技者に所定の遊技価値を付与可能な特別遊技状態を発生させる遊技機として機能する。
【００８８】
また、遊技制御装置３０では、各種入賞口に設けられたセンサ（特図１始動口ＳＷ１３ａ、特図２始動口ＳＷ７ｄ、入賞口ＳＷ１２ａ、カウントＳＷ１０ｃ）から入力される遊技球の検出信号に基づき、払出制御装置１２５を制御して排出装置から所定数の遊技球が払い出されるようにする処理を行う。
【００８９】
また、演出制御装置４０では、遊技制御装置３０からの指令信号（変動時間コマンド、変動停止コマンド等）に基づき、表示装置４３で特図変動表示ゲームに対応した飾り特図変動表示ゲームを表示する処理や、演出の制御を行う。
【００９０】
ここで、特別結果態様には、特別遊技状態の実行態様や特別遊技状態の終了後に遊技者に付与される付加遊技価値が異なる複数種類が設定されており、遊技制御装置３０では大当り図柄乱数に基づき特別結果態様を選択する。すなわち、大当り図柄乱数に基づき付加遊技価値の量が決定されるといえる。なお、本実施形態の遊技機における特別遊技状態の実行態様とは、実行可能なラウンド数や大入賞口の開放時間である。また、付加遊技価値とは、特別遊技状態の終了後に次回の特別結果態様の導出まで遊技状態を確率変動状態とすることや、特別遊技状態の終了後に所定回数の特図変動表示ゲームを実行するまで遊技状態を時短遊技状態とすることである。
【００９１】
特別結果態様の種類には、特別遊技状態でのラウンド数が１５ラウンドで該特別遊技状態の終了後に５０回の特図変動表示ゲームを実行するまで遊技状態を時短遊技状態とする（時短回数５０回）１５Ｒ通常１（図柄）、特別遊技状態でのラウンド数が１５ラウンドで該特別遊技状態の終了後に１００回の特図変動表示ゲームを実行するまで遊技状態を時短遊技状態とする（時短回数１００回）１５Ｒ通常２（図柄）、特別遊技状態でのラウンド数が１５ラウンドで該特別遊技状態の終了後に次回の特別結果態様の導出まで遊技状態を確率変動状態とする１５Ｒ確変（図柄）、特別遊技状態でのラウンド数が２ラウンドで該特別遊技状態の終了後に次回の特別結果態様の導出まで遊技状態を確率変動状態とする２Ｒ確変（図柄）の四種類が設定されている。
【００９２】
すなわち、遊技制御装置３０が、特別遊技状態の終了後、所定回数変動表示ゲームが実行される期間を限度として、普通電動入賞装置７の変換制御を変更することで変動表示ゲームの実行権利の獲得を容易にした特定遊技状態（時短遊技状態）を発生させる特定遊技状態発生手段をなす。また、遊技制御装置３０が、該特定遊技状態が終了することとなる変動表示ゲームの回数を予め定められた複数通りの回数のうちから選択する特定遊技状態継続数選択手段をなす。
【００９３】
なお、特別結果態様が１５Ｒ通常１もしくは１５Ｒ通常２であった場合に、特図１表示器８もしくは特図２表示器９には対応する図柄が表示されるが、表示装置４３に表示される飾り特図変動表示ゲームの結果は１５Ｒ通常１と１５Ｒ通常２とを区別できないような特別結果態様が表示される。また、特別遊技状態の終了時にも明確に時短回数を報知せずに時短遊技状態になることだけを報知する。そして、後述するように、時短遊技状態で遊技が進行し、区切り回数となる５０回目の特図変動表示ゲームの停止時間において、時短遊技状態が継続するか否か、すなわち、時短回数が５０回であるか１００回であるかを報知するようになっている。
【００９４】
また、１５Ｒ通常１、１５Ｒ通常２、１５Ｒ確変に基づく特別遊技状態（第１の特別遊技状態）では、各ラウンドにおける大入賞口の開放時間が第１開放時間（２５秒）であり、２Ｒ確変に基づく特別遊技状態（第２の特別遊技状態）では、大入賞口の開放時間が第１開放時間よりも短い第２開放時間（０．３秒）とされる。ここで、２Ｒ確変に基づく特別遊技状態では、大入賞口を０．３秒開放する動作を１秒のウエイト時間を挟んで２回行うようになっている。このため大入賞口に遊技球が入賞することは非常に困難であるが、僅かに大入賞口に入賞する可能性はあり、遊技者に所定の遊技価値を付与可能な状態である。また、このように遊技球の入賞は困難であるが、他の特別結果態様に基づく特別遊技状態の場合と同様に大入賞口に所定個数（例えば９個）の遊技球が入賞するかの監視も行われる。すなわち、１５Ｒ通常１、１５Ｒ通常２及び１５Ｒ確変が所定期間実行される第１の特別遊技状態を発生させるものであり、２Ｒ確変が第１の特別遊技状態よりも実行期間が短く設定された第２の特別遊技状態を実行するものである。
【００９５】
また、図６に示すように、特図変動表示ゲームの結果が大当りとなった場合における特別結果態様の選択確率は、特図１変動表示ゲームと特図２変動表示ゲームとで異なっている。特図１変動表示ゲームでは、１５Ｒ通常１が選択される確率が２０％、１５Ｒ通常２が選択される確率が１５％、１５Ｒ確変が選択される確率が４５％、２Ｒ確変が選択される確率が２０％である。これに対して、特図２変動表示ゲームでは、１５Ｒ通常１が選択される確率が１５％、１５Ｒ通常２が選択される確率が２０％、１５Ｒ確変が選択される確率が６０％、２Ｒ確変が選択される確率が５％である。すなわち、特図１変動表示ゲームよりも特図２変動表示ゲームのほうが、特別遊技状態で付与される遊技価値の量が多くなる（遊技者にとって有利になる）ようにされている。また、特図１変動表示ゲームよりも特図２変動表示ゲームのほうが特別遊技状態の終了後に遊技者に付与される付加遊技価値の量（時短回数）が多くなる（遊技者にとって有利になる）ようになっている。すなわち、遊技制御装置３０が、始動入賞口（第１始動入賞口１３、普通電動入賞装置７）への遊技球の入賞に基づき乱数（大当り図柄乱数）を抽出し、該抽出された乱数値に基づき、特別遊技状態とは別に付加遊技価値を付与するか否か、或いは付与する付加遊技価値量を決定する付加遊技価値決定手段をなす。
【００９６】
次に、図４に示すタイマ割込み処理における特図ゲーム処理（ステップＳ１６）の詳細について説明する。図７に示すように、特図ゲーム処理では、まず、第２始動入賞口をなす普通電動入賞装置７への入賞の監視と、入賞に基づき各種乱数値の記憶を行う始動口２スイッチ監視処理（ステップＳ３０）を行い、第１始動入賞口１３への入賞の監視と、入賞に基づき各種乱数値の記憶を行う始動口１スイッチ監視処理（ステップＳ３１）を行う。その後、カウントＳＷ１０ｃからの入力を監視するカウントスイッチ監視処理（ステップＳ３２）を行う。
【００９７】
そして、特図変動表示ゲームの実行に関する各処理で設定されるゲーム処理タイマがタイムアップしたか否かの判定（ステップＳ３３）を行う。このゲーム処理タイマがタイムアップしたか否かの判定（ステップＳ３３）において、ゲーム処理タイマがタイムアップしていない場合（ステップＳ３３；Ｎｏ）は、特図変動表示ゲームの制御に関する特図変動制御処理（ステップＳ４５）を行って特図ゲーム処理を終了する。また、ゲーム処理タイマがタイムアップしたか否かの判定（ステップＳ３３）において、ゲーム処理タイマがタイムアップしている場合（ステップＳ３３；Ｙｅｓ）は、ゲーム処理番号を取得して取得したゲーム処理番号に基づき実行する処理を選択するゲーム分岐処理（ステップＳ３４）を行う。
【００９８】
ゲーム分岐処理（ステップＳ３４）において、ゲーム処理番号が０である場合は、特別図柄の変動開始を監視し、特別図柄の変動開始の設定や演出の設定、又は特図普段処理を行うために必要な情報の設定を行う特図普段処理（ステップＳ３５）を行う。また、ゲーム分岐処理（ステップＳ３４）において、ゲーム処理番号が１である場合は、特図変動表示ゲームの前半変動時間に係る情報の設定を行う特図前半変動開始処理（ステップＳ３６）を行う。なお、前半変動時間とは、特図変動表示ゲームの開始からリーチ状態が発生するまでの期間である。また、ゲーム分岐処理（ステップＳ３４）において、ゲーム処理番号が２である場合は、特図変動表示ゲームの後半変動時間に係る情報の設定を行う特図後半変動開始処理（ステップＳ３７）を行う。なお、後半変動時間とは、リーチ状態の発生から特図変動表示ゲームの終了までの期間である。
【００９９】
また、ゲーム分岐処理（ステップＳ３４）において、ゲーム処理番号が３である場合は特図変動停止処理（ステップＳ３８）を行う。この特図変動停止処理（ステップＳ３８）では、飾り特図変動表示ゲームの変動停止を指示するコマンド（変動停止コマンド）の設定や、特図変動表示ゲームにおける結果態様の停止表示時間の設定などを行う。また、ゲーム分岐処理（ステップＳ３４）において、ゲーム処理番号が４である場合は特図変動終了処理（ステップＳ３９）を行う。この特図変動終了処理（ステップＳ３９）では、特図変動表示ゲームの結果が大当りである場合には、ファンファーレ／インターバル中処理（ステップＳ４０）を行うために必要な情報の設定を行う。また、特図変動表示ゲームの結果がはずれである場合は、特図普段処理（ステップＳ３５）へ移行するため情報の設定などを行う。
【０１００】
また、ゲーム分岐処理（ステップＳ３４）において、ゲーム処理番号が５である場合は特別遊技状態における大入賞口の開放回数の更新などの処理を行うファンファーレ／インターバル中処理（ステップＳ４０）を行う。また、ゲーム分岐処理（ステップＳ３４）において、ゲーム処理番号が６である場合は大入賞口開放中処理（ステップＳ４１）を行う。この大入賞口開放中処理（ステップＳ４１）では、特別遊技状態が最終ラウンドでなければファンファーレ／インターバル中処理（ステップＳ４０）を行うために必要な情報の設定を行う。また、特別遊技状態が最終ラウンドであれば、特別遊技状態の終了画面のコマンドの設定や大入賞口残存球処理（ステップＳ４２）を行うために必要な情報の設定を行う。
【０１０１】
また、ゲーム分岐処理（ステップＳ３４）において、ゲーム処理番号が７である場合は大入賞口残存球処理（ステップＳ４２）を行う。この大入賞口残存球処理（ステップＳ４２）では、特別遊技状態が最終ラウンドである場合に、大入賞口を閉鎖した後に大入賞口内に残存する全ての遊技球がカウントＳＷ１０ｃで検出されるまで時間の設定を行う。また、ゲーム分岐処理（ステップＳ３４）において、ゲーム処理番号が８である場合は大当り終了処理（ステップＳ４３）を行う。この大当り終了処理（ステップＳ４３）では、特別遊技状態を終了する処理を行うとともに、特図普段処理（ステップＳ３５）を行うために必要な情報の設定を行う。
【０１０２】
ゲーム処理番号に基づく上述の処理を行った後、設定された各種データをセーブするテーブルデータセーブ処理（ステップＳ４４）を行い、ゲーム処理タイマの更新などの処理を行う特図変動制御処理（ステップＳ４５）を行って特図ゲーム処理を終了する。
【０１０３】
図８に示すように、上述の特図ゲーム処理において実行される始動口２ＳＷ（スイッチ）監視処理（ステップＳ３０）では、まず、普通電動役物が作動中であるか否かの判定（ステップＳ５０）を行う。この普通電動役物が作動中であるか否かの判定（ステップＳ５０）では、普通電動役物をなす普通電動入賞装置７が作動して遊技球の入賞が可能な開状態となっているかが判定される。普通電動役物が作動中であるか否かの判定（ステップＳ５０）において、普通電動役物が作動中である場合（ステップＳ５０；Ｙｅｓ）は、始動口２スイッチ（特図２始動口ＳＷ７ｄ）入力がオンであるか否かの判定（ステップＳ５２）を行う。また、普通電動役物が作動中であるか否かの判定（ステップＳ５０）において、普通電動役物が作動中でない場合（ステップＳ５０；Ｎｏ）は、不正入賞数が上限値であるか否かの判定（ステップＳ５１）を行う。
【０１０４】
普通電動入賞装置７は、閉状態では遊技球が入賞不可能であり、開状態でのみ遊技球が入賞可能である。よって、閉状態で遊技球が入賞した場合は何らかの異常や不正が発生した場合であり、このような閉状態で入賞した遊技球があった場合はその数を不正入賞数として計数するようになっている。そして、不正入賞数が上限値であるか否かの判定（ステップＳ５１）では、このように計数された不正入賞数が所定の上限値以上であるかが判定される。この不正入賞数が上限値であるか否かの判定（ステップＳ５１）において、不正入賞数が上限値である場合（ステップＳ５１；Ｙｅｓ）は、始動口２ＳＷ監視処理を終了する。すなわち、この場合は特図２始動記憶を発生させないようにする。また、不正入賞数が上限値であるか否かの判定（ステップＳ５１）において、不正入賞数が上限値でない場合（ステップＳ５１；Ｎｏ）は、始動口２スイッチ（特図２始動口ＳＷ７ｄ）入力がオンであるか否かの判定（ステップＳ５２）を行う。
【０１０５】
始動口２スイッチ入力がオンであるか否かの判定（ステップＳ５２）では、普通電動入賞装置７に入賞した遊技球を検出する始動口２スイッチ（特図２始動口ＳＷ７ｄ）から出力される遊技球の検出信号があるかが判定される。始動口２スイッチ入力がオンであるか否かの判定（ステップＳ５２）において、始動口２スイッチ入力がオンでない場合（ステップＳ５２；Ｎｏ）は、始動口２ＳＷ監視処理を終了する。また、始動口２スイッチ入力がオンであるか否かの判定（ステップＳ５２）において、始動口２スイッチ入力がオンである場合（ステップＳ５２；Ｙｅｓ）は、始動口信号出力回数を更新する処理（ステップＳ５３）を行う。始動口信号出力回数を更新する処理（ステップＳ５３）では、遊技機の外部の管理装置に対して出力する普通電動入賞装置７への入賞の回数に関する情報を更新する処理を行う。その後、特図２保留数（特図２始動記憶）が上限値（例えば４）であるか否かの判定（ステップＳ５４）を行う。
【０１０６】
特図２保留数が上限値であるか否かの判定（ステップＳ５４）において、特図２保留数が上限値である場合（ステップＳ５４；Ｙｅｓ）、すなわち、これ以上特図２始動記憶を記憶できない場合は、始動口２ＳＷ監視処理を終了する。また、特図２保留数が上限値であるか否かの判定（ステップＳ５４）において、特図２保留数が上限値でない場合（ステップＳ５４；Ｎｏ）は、特図２保留数を１インクリメントする処理（ステップＳ５５）を行い、大当り乱数値を取得する処理（ステップＳ５６）を行う。その後、大当り図柄乱数２（特図２変動表示ゲーム用の大当り図柄乱数）を取得する処理（ステップＳ５７）、変動パターン乱数２（特図２変動表示ゲーム用の変動パターン乱数）を取得する処理（ステップＳ５８）を行う。これらの各種乱数値を記憶する処理（ステップＳ５６からＳ５８）では、更新した特図始動記憶数に対応して設定される各種乱数値のセーブ領域に、抽出した各種乱数値を記憶する処理を行う。すなわち、遊技制御装置３０が第２始動入賞口（普通電動入賞装置７、第２の始動入賞領域）への遊技球の入賞に基づき特図２変動表示ゲームの実行権利を当該特図変動表示ゲームの結果を決定する結果関連情報（大当り乱数、大当り図柄乱数、変動パターン乱数）とともに記憶する特図２始動記憶手段をなす。
【０１０７】
次に、特図２始動記憶に基づく特図２変動表示ゲームの開始タイミングより前に当該特図２始動記憶に対応した結果関連情報の判定を行う先読み処理を行う。この先読み処理としてはまず、大当り乱数は大当りであるか否かの判定（ステップＳ５９）を行う。この大当り乱数は大当りであるか否かの判定（ステップＳ５９）では、大当り乱数値が大当り判定値と一致するかが判定される。なお、ここで用いる大当り判定値は、現在の特図変動表示ゲームで特別結果態様が導出される確率状態にかかわらず、常に通常確率状態での値である第１判定値を用いる。これにより、先読み処理を行った時には高確率状態であって大当りと判定したが、実際に特図変動表示ゲームを実行する時には通常確率状態となっていてはずれと判定されてしまうことを防止できる。この大当り乱数は大当りであるか否かの判定（ステップＳ５９）において、大当り乱数は大当りである場合（ステップＳ５９；Ｙｅｓ）は、連続予告演出コマンド４を取得する処理（ステップＳ６０）を行い、大当り図柄乱数に対応する停止図柄パターンコマンドを取得する処理（ステップＳ６３）を行う。連続予告演出コマンドの詳細については後述するが、連続予告演出コマンド４は当該始動記憶に基づく特図変動表示ゲームの結果が当りとなる場合に選択されるものである。
【０１０８】
また、大当り乱数は大当りであるか否かの判定（ステップＳ５９）において、大当り乱数は大当りでない場合（ステップＳ５９；Ｎｏ）は、連続予告演出コマンドテーブルを取得する処理（ステップＳ６１）を行う。その後、変動パターン乱数に対応する連続予告演出コマンドを取得する処理（ステップＳ６２）を行い、大当り図柄乱数に対応する停止図柄パターンコマンドを取得する処理（ステップＳ６３）を行う。なお、当該始動記憶に基づく特図変動表示ゲームの結果がはずれである場合は、変動パターン乱数により連続予告演出コマンド１から３の何れかを取得もしくは連続予告コマンドを取得しないようになっている。
【０１０９】
そして、上述の処理で取得した各種コマンドを設定する処理として、連続予告演出コマンドを設定する処理（ステップＳ６４）、停止図柄パターンコマンドを設定する処理（ステップＳ６５）を行う。ここで設定されたコマンドは後に演出制御装置４０に出力される。その後、飾り特図２保留数コマンドを設定する処理（ステップＳ６６）を行って始動口２ＳＷ監視処理を終了する。
【０１１０】
また、図９に示すように、特図ゲーム処理（図７参照）において実行される始動口１ＳＷ（スイッチ）監視処理（ステップＳ３１）においては、まず、始動口１スイッチ（特図１始動口ＳＷ１３ａ）入力がオンであるか否かの判定（ステップＳ７０）を行う。この始動口１スイッチ入力がオンであるか否かの判定（ステップＳ７０）では、第１始動入賞口１３に入賞した遊技球を検出する始動口１スイッチ（特図１始動口ＳＷ１３ａ）から出力される遊技球の検出信号があるかが判定される。始動口１スイッチ入力がオンであるか否かの判定（ステップＳ７０）において、始動口１スイッチ入力がオンでない場合（ステップＳ７０；Ｎｏ）は、始動口１ＳＷ監視処理を終了する。また、始動口１スイッチ入力がオンであるか否かの判定（ステップＳ７０）において、始動口１スイッチ入力がオンである場合（ステップＳ７０；Ｙｅｓ）は、始動口信号出力回数を更新する処理（ステップＳ７１）を行う。始動口信号出力回数を更新する処理（ステップＳ７１）では、遊技機の外部の管理装置に対して出力する第１始動入賞口１３への入賞の回数に関する情報を更新する処理を行う。その後、特図１保留数（特図１始動記憶）が上限値（例えば４）であるか否かの判定（ステップＳ７２）を行う。
【０１１１】
特図１保留数が上限値であるか否かの判定（ステップＳ７２）において、特図１保留数が上限値である場合（ステップＳ７２；Ｙｅｓ）、すなわち、これ以上特図１始動記憶を記憶できない場合は、始動口１ＳＷ監視処理を終了する。また、特図１保留数が上限値であるか否かの判定（ステップＳ７２）において、特図１保留数が上限値でない場合（ステップＳ７２；Ｎｏ）は、特図１保留数を１インクリメントする処理（ステップＳ７３）を行い、大当り乱数値を取得する処理（ステップＳ７４）を行う。その後、大当り図柄乱数１（特図１変動表示ゲーム用の大当り図柄乱数）を取得する処理（ステップＳ７５）、変動パターン乱数１（特図１変動表示ゲーム用の変動パターン乱数）を取得する処理（ステップＳ７６）を行う。これらの各種乱数値を記憶する処理（ステップＳ７４からＳ７６）では、更新した特図始動記憶数数に対応して設定される各種乱数値のセーブ領域に、抽出した各種乱数値を記憶する処理を行う。すなわち、遊技制御装置３０が第１始動入賞口１３（第１の始動入賞領域）への遊技球の入賞に基づき第１変動表示ゲームの実行権利を当該特図変動表示ゲームの結果を決定する結果関連情報（大当り乱数、大当り図柄乱数、変動パターン乱数）とともに記憶する特図１始動記憶手段をなす。
【０１１２】
次に、特図１始動記憶に基づく特図１変動表示ゲームの開始タイミングより前に当該特図１始動記憶に対応した結果関連情報の判定を行う先読み処理を行う。この先読み処理としてはまず、普通電動入賞装置７が時短動作状態であるか否かの判定（ステップＳ７７）を行う。なお、普通電動入賞装置７の動作状態が時短動作状態である場合は遊技状態が確率変動状態もしくは時短遊技状態である場合である。普通電動入賞装置７が時短動作状態であるか否かの判定（ステップＳ７７）において、普通電動入賞装置７が時短動作状態である場合（ステップＳ７７；Ｙｅｓ）は、飾り特図１保留数コマンドを設定する処理（ステップＳ８６）を行い、始動口１ＳＷ監視処理を終了する。すなわち、この場合は特図１始動記憶に対する先読み処理を行わない。また、普通電動入賞装置７が時短動作状態であるか否かの判定（ステップＳ７７）において、普通電動入賞装置７が時短動作状態でない場合（ステップＳ７７；Ｎｏ）は、条件装置作動中であるか否かの判定（ステップＳ７８）を行う。
【０１１３】
条件装置作動中であるか否かの判定（ステップＳ７８）では、特別変動入賞装置１０が動作中であるかが判定される。すなわち、特別遊技状態中であるかが判定される。この条件装置作動中であるか否かの判定（ステップＳ７８）において、条件装置作動中である場合（ステップＳ７８；Ｙｅｓ）は、飾り特図１保留数コマンドを設定する処理（ステップＳ８６）を行い、始動口１ＳＷ監視処理を終了する。すなわち、この場合は特図１始動記憶に対する先読み処理を行わない。また、条件装置作動中であるか否かの判定（ステップＳ７８）において、条件装置作動中でない場合（ステップＳ７８；Ｎｏ）は、大当り乱数は大当りであるか否かの判定（ステップＳ７９）を行う。
【０１１４】
大当り乱数は大当りであるか否かの判定（ステップＳ７９）では、大当り乱数値が大当り判定値と一致するかが判定される。なお、ここで用いる大当り判定値は、現在の特図変動表示ゲームで特別結果態様が導出される確率状態にかかわらず、常に通常確率状態での値である第１判定値を用いる。これにより、先読み処理を行った時には高確率状態であって大当りと判定したが、実際に特図変動表示ゲームを実行する時には通常確率状態となっていてはずれと判定されてしまうことを防止できる。大当り乱数は大当りであるか否かの判定（ステップＳ７９）において、大当り乱数は大当りである場合（ステップＳ７９；Ｙｅｓ）は、連続予告演出コマンド４を取得する処理（ステップＳ８０）を行い、大当り図柄乱数に対応する停止図柄パターンコマンドを取得する処理（ステップＳ８３）を行う。上述したように連続予告演出コマンド４は当該始動記憶に基づく特図変動表示ゲームの結果が当りとなる場合に選択されるものである。
【０１１５】
また、大当り乱数は大当りであるか否かの判定（ステップＳ７９）において、大当り乱数は大当りでない場合（ステップＳ７９；Ｎｏ）は、連続予告演出コマンドテーブルを取得する処理（ステップＳ８１）を行う。その後、変動パターン乱数に対応する連続予告演出コマンドを取得する処理（ステップＳ８２）を行い、大当り図柄乱数に対応する停止図柄パターンコマンドを取得する処理（ステップＳ８３）を行う。すなわち、当該始動記憶に基づく特図変動表示ゲームの結果がはずれである場合は、上述したように変動パターン乱数により連続予告演出コマンド１から３の何れかを取得もしくは連続予告コマンドを取得しないようになっている。
【０１１６】
そして、上述の処理で取得した各種コマンドを設定する処理として、連続予告演出コマンドを設定する処理（ステップＳ８４）、停止図柄パターンコマンドを設定する処理（ステップＳ８５）を行う。ここで設定されたコマンドは後に演出制御装置４０に出力される。その後、飾り特図１保留数コマンドを設定する処理（ステップＳ８６）を行って始動口１ＳＷ監視処理を終了する。
【０１１７】
以上のことから、遊技制御装置３０が、変動表示ゲームを実行させる権利を所定数の範囲内で始動記憶として記憶可能な始動記憶手段をなす。より詳細には、遊技制御装置３０が、始動入賞領域（第１始動入賞口１３、普通電動入賞装置７）への遊技球の入賞に基づき変動表示ゲームの実行権利を当該変動表示ゲームの結果を決定する結果関連情報（大当り乱数、大当り図柄乱数、変動パターン乱数）とともに所定の上限数まで記憶する始動記憶手段をなす。また、遊技制御装置３０が、始動記憶手段（遊技制御装置３０）に記憶された乱数値を特定値と比較判定する始動記憶判定手段をなす。また、遊技制御装置３０が始動記憶手段（遊技制御装置３０）に始動記憶が記憶された変動表示ゲームの実行待機状態中に、当該始動記憶に対応した結果関連情報を先読みする先読み手段をなす。より詳細には、遊技制御装置３０が、始動記憶に対応して記憶されている特別遊技状態の発生を決定するための大当り乱数の値を、当該始動記憶に対応する変動表示ゲームの実行前に事前に判定する大当り事前判定手段をなす。また、遊技制御装置３０が、始動記憶に対応して記憶されている変動表示ゲームの変動パターンを決定するための変動パターン乱数の値を、当該始動記憶に対応する変動表示ゲームの実行前に事前に判定する変動パターン事前判定手段をなす。
【０１１８】
ここで、連続予告演出コマンドの選択について説明する。上述の先読み処理の結果、選択される連続予告演出コマンドには、図１０に示すように連続予告演出コマンド１から４の４種類が設定されている。連続予告演出コマンド１は、当該始動記憶に基づく特図変動表示ゲームの結果がはずれであり、ノーマルリーチ以下の変動表示態様が実行される場合に選択される。なお、ノーマルリーチ以下とは、ノーマルリーチ以下の信頼度である変動表示態様のことである。この変動表示態様の信頼度とは、その変動表示態様が実行された場合に特別遊技状態となる確率の高さのことであり、リーチなし＜ノーマルリーチ＜スペシャルリーチ１（ＳＰ１リーチ）＜スペシャルリーチ２（ＳＰ２リーチ）の順に高くなるようになっている。よって、はずれのノーマルリーチ以下の変動表示態様とは、ノーマルリーチもしくはリーチなしではずれとなる変動表示態様のことである。
【０１１９】
また、連続予告演出コマンド２は、当該始動記憶に基づく特図変動表示ゲームの結果がはずれであり、スペシャルリーチ１となる変動表示態様が実行される場合に選択される。連続予告演出コマンド３は、当該始動記憶に基づく特図変動表示ゲームの結果がはずれであり、スペシャルリーチ２となる変動表示態様が実行される場合に選択される。連続予告演出コマンド４は、当該始動記憶に基づく特図変動表示ゲームの結果が当りである場合に選択される。このうち連続予告演出コマンド１から３の選択は、変動パターン乱数も参照して行われる。
【０１２０】
ここで、変動パターン乱数を判定するための変動パターン判定値は始動記憶数によりリーチ状態の発生率が異なるように複数の設定が用意されている。これは始動記憶のオーバーフローを防止するために、記憶数が多いほど変動時間が短い変動パターンを選択するようにするためである。図１１には、通常遊技状態において特図１変動表示ゲーム及び特図２変動表示ゲームで共通に使用される連続予告演出コマンドを選択するためのテーブルの内容を、図１２には、確率変動状態及び時短遊技状態において特図２変動表示ゲームで使用される連続予告演出コマンドを選択するためのテーブルの内容を示した。
【０１２１】
変動パターン乱数は０から６５５３５の６５５３６個の値から一つの値が始動入賞時に抽出されるものである。そして、始動記憶に基づく特図変動表示ゲームの開始時における保留記憶数（始動記憶数）に応じて異なる変動パターン判定値が設定されている。このうち保留記憶数によって異なる判定結果となる値と、保留記憶数に関わらず同じ判定結果となる値がある。具体的に図１１に示すテーブルにおいては、変動パターン乱数値が０からａの範囲である場合は、保留記憶数に拘らずリーチなしの変動表示態様となる。また、変動パターン乱数値がａからｂの範囲である場合は、保留記憶数によってリーチなしもしくはノーマルリーチの変動表示態様となり、詳細には、保留記憶数が０から２の場合はノーマルリーチ、保留記憶数が３の場合はリーチなしもしくはノーマルリーチ、保留記憶数が４の場合はリーチなしとなる。
【０１２２】
また、変動パターン乱数値がｂからｃの範囲である場合は、保留記憶数に拘らずノーマルリーチの変動表示態様となる。また、変動パターン乱数値がｃからｄの範囲である場合は、保留記憶数によってノーマルリーチもしくはスペシャルリーチ１（ＳＰリーチ１）の変動表示態様となり、詳細には、保留記憶数が０から２の場合はＳＰリーチ１、保留記憶数が３の場合はノーマルリーチもしくはＳＰリーチ１、保留記憶数が４の場合はノーマルリーチとなる。
【０１２３】
また、変動パターン乱数値がｄからｅの範囲である場合は、保留記憶数に拘らずスペシャルリーチ１の変動表示態様となる。また、変動パターン乱数値がｅからｆの範囲である場合は、保留記憶数によってスペシャルリーチ１もしくはスペシャルリーチ２（ＳＰリーチ２）の変動表示態様となり、詳細には、保留記憶数が０から２の場合はＳＰリーチ２、保留記憶数が３の場合はＳＰリーチ１もしくはＳＰリーチ２、保留記憶数が４の場合はＳＰリーチ１となる。また、変動パターン乱数値がｆから６５５３５の範囲である場合は、保留記憶数に拘らずスペシャルリーチ２の変動表示態様となる。なお、ａからｆの値は０＜ａ＜ｂ＜ｃ＜ｄ＜ｅ＜ｆ＜６５５３５となる値である。
【０１２４】
そして、上述の連続予告演出コマンドテーブルを取得する処理（ステップＳ６１）で取得する連続予告演出コマンドテーブルには、このように保留記憶数によって異なる判定結果となる値の範囲と、保留記憶数に拘らず同じ判定結果となる値の範囲とが記憶されている。よって、変動パターン乱数に対応する連続予告演出コマンドを取得する処理（ステップＳ６２）では、この連続予告演出コマンドテーブルに変動パターン乱数を参照し、変動パターン乱数が保留記憶数に拘らず所定の判定結果となる値の場合に所定の連続予告演出コマンドを取得し、保留記憶数によって所定の判定結果とならない値の場合には連続予告演出コマンドを取得しないようにする処理を行う。
【０１２５】
すなわち、変動パターン乱数値が０からｃの範囲であり、保留記憶数に拘らずノーマルリーチもしくはリーチなしの変動表示態様となる場合に、連続予告演出コマンド１を取得する。また、変動パターン乱数値がｄからｅの範囲であり、保留記憶数に拘らずスペシャルリーチ１の変動表示態様となる場合に、連続予告演出コマンド２を取得する。また、変動パターン乱数値がｆから６５５３５の範囲であり、保留記憶数に拘らずスペシャルリーチ２の変動表示態様となる場合に、連続予告演出コマンド３を取得する。そして、変動パターン乱数値がｃからｄ、ｅからｆである場合は、連続予告演出コマンドは取得しない。なお、このように保留記憶数によって所定の判定結果とならない値の場合（状態が不定の場合）に選択する連続予告演出コマンドとして連続予告演出コマンド５を設け、これを演出制御装置４０に送信するようにしても良い。このような処理によって、乱数を抽出する始動入賞時では当該始動記憶の変動表示ゲーム開始時の始動記憶数が分からないため、連続予告を行ってもＳＰリーチ等が発生しないこととなってしまう可能性があるという課題を解決できる。
【０１２６】
このように始動記憶数に応じてリーチ状態の発生率が異なるようにすることで、遊技が冗長になったり、単調になったりすることを防止でき、遊技の興趣の低下を防止するようにしている。ここで、図１１に示す通常遊技状態における場合に比べ、図１２に示す確率変動状態及び時短遊技状態における場合の方が、リーチ状態の発生頻度が低くなるようにされている。これは、確率変動状態及び時短遊技状態では普通電動入賞装置７の動作状態が時短動作状態となり、特図２始動記憶が容易に発生するようになるので、変動時間が長くなるリーチ状態の発生頻度を低くして特図２始動記憶を迅速に消化できるようにするためである。
【０１２７】
また、変動パターン乱数により決定される事項にはリーチ状態の有無の他、変動時間なども含まれ、この変動時間も保留記憶数に応じて異なるようにされている。そして、図１１に示す通常遊技状態における場合では、例えば、リーチなしの場合に、始動記憶数が上限数の場合は、上限数でない場合よりも短い変動時間を設定する（いわゆる即止め）ようにしている。また、図１２に示す確率変動状態及び時短遊技状態における場合では、例えば、リーチなしの場合に、始動記憶数が０もしくは１でない場合は、０もしくは１である場合よりも短い変動時間を設定する（いわゆる即止め）ようにしている。すなわち、図１１に示す通常遊技状態における場合に比べ、図１２に示す確率変動状態及び時短遊技状態における場合の方が、短い変動時間が選択され易くなっており、特図２始動記憶を迅速に消化できるようになっている。これによっても遊技が冗長になったり、単調になったりすることを防止でき、遊技の興趣の低下を防止するようにしている。
【０１２８】
なお、遊技状態や始動記憶数によりリーチ状態の発生率が異なるようにしたが、これ以外の条件によりリーチ状態の発生率が異なるようにしても良い。また、ここで示した変動パターン乱数の設定値や変動パターン判定値の設定値は一例であって、これに限られるものではない。
【０１２９】
また、特図ゲーム処理（図７参照）における特図変動停止処理（ステップＳ３８）では、特図変動表示ゲームの変動表示を終了する際に図１３に示すような処理が行われる。上述したように、特別結果態様が１５Ｒ通常１もしくは１５Ｒ通常２であった場合には、表示装置４３に表示される飾り特図変動表示ゲームの結果は１５Ｒ通常１と１５Ｒ通常２とを区別できないような特別結果態様が表示される。また、特別遊技状態の終了時にも明確に時短回数を報知せずに時短遊技状態になることだけを報知する。そして、後述するように、時短遊技状態で遊技が進行し、区切り回数となる５０回目の特図変動表示ゲームの停止時間において、時短遊技状態が継続するか否か、すなわち、時短回数が５０回であるか１００回であるかを報知するようになっている。この特図変動停止処理では、時短遊技状態において時短回数を報知する５０回目の特図変動表示ゲームの停止時間と、時短遊技状態の終了を報知する１００回目の特図変動表示ゲームの停止時間に、他の場合に設定される停止時間（通常停止時間）よりも長い停止時間（延長停止時間）を設定するようになっている。
【０１３０】
この特図変動停止処理では、まず時短遊技状態であるか否かの判定（ステップＳ９０）を行う。この時短遊技状態であるか否かの判定（ステップＳ９０）において、時短遊技状態でない場合（ステップＳ９０；Ｎｏ）は、通常停止時間（例えば１秒）をセットする処理（ステップＳ９６）を行う。その後、停止時間コマンドを設定する処理（ステップＳ９３）を行い、ゲーム処理番号を更新する処理（ステップＳ９４）を行って、特図変動停止処理を終了する。停止時間コマンドは後に演出制御装置４０に出力され、演出制御装置４０ではこの停止時間コマンドに基づき飾り特図変動表示ゲームの停止時間を設定する。また、ゲーム処理番号を更新する処理によりゲーム処理番号が４とされ、次回の特図ゲーム処理で特図変動終了処理が行われるようになる。
【０１３１】
一方、時短遊技状態であるか否かの判定（ステップＳ９０）において、時短遊技状態である場合（ステップＳ９０；Ｙｅｓ）は、ゲームカウンタの値が４９であるか否かの判定（ステップＳ９１）を行う。ゲームカウンタは、特別遊技状態の発生に基づきリセットされ（値が０とされ）、特図変動表示ゲームの停止時間経過時に更新される（１インクリメントされる）ものであり、特図変動表示ゲームの実行回数をカウントするものである。つまり、ゲームカウンタの値は特別遊技状態の終了後に実行された特図変動表示ゲームの回数となる。ただし、ゲームカウンタは特図変動表示ゲームの停止時間経過時に更新されるため、実行中の特図変動表示ゲームについては計数されていない。すなわち、例えば、特別遊技状態の終了から数えて５０回目の特図変動表示ゲームを実行中である場合は、ゲームカウンタの値は４９となる。なお、ゲームカウンタは遊技状態にかかわらず更新されるようにしても良いし、時短遊技状態でのみ更新されるようにしても良い。
【０１３２】
ゲームカウンタの値が４９であるか否かの判定（ステップＳ９１）において、ゲームカウンタの値が４９である場合（ステップＳ９１；Ｙｅｓ）、すなわち、特別遊技状態の終了から数えて５０回目の特図変動表示ゲームを実行中である場合は、延長停止時間（例えば５秒）をセットする処理（ステップＳ９２）を行う。その後、停止時間コマンドを設定する処理（ステップＳ９３）を行い、ゲーム処理番号を更新する処理（ステップＳ９４）を行って、特図変動停止処理を終了する。この場合は延長停止時間において時短遊技状態が継続するか否か、つまり、時短回数が５０回であるか１００回であるかの報知が行われる。また、ゲームカウンタの値が４９であるか否かの判定（ステップＳ９１）において、ゲームカウンタの値が４９でない場合（ステップＳ９１；Ｎｏ）は、ゲームカウンタの値が９９であるか否かの判定（ステップＳ９５）を行う。
【０１３３】
ゲームカウンタの値が９９であるか否かの判定（ステップＳ９５）において、ゲームカウンタの値が９９である場合（ステップＳ９５；Ｙｅｓ）、すなわち、特別遊技状態の終了から数えて１００回目の特図変動表示ゲームを実行中である場合は、延長停止時間（例えば５秒）をセットする処理（ステップＳ９２）を行う。その後、停止時間コマンドを設定する処理（ステップＳ９３）を行い、ゲーム処理番号を更新する処理（ステップＳ９４）を行って、特図変動停止処理を終了する。この場合は延長停止時間において時短遊技状態の終了の報知が行われる。また、ゲームカウンタの値が９９であるか否かの判定（ステップＳ９５）において、ゲームカウンタの値が９９でない場合（ステップＳ９５；Ｎｏ）は、通常停止時間（例えば１秒）をセットする処理（ステップＳ９６）を行う。その後、停止時間コマンドを設定する処理（ステップＳ９３）を行い、ゲーム処理番号を更新する処理（ステップＳ９４）を行って、特図変動停止処理を終了する。なお、ゲームカウンタの値が９９である場合（１００回目のゲーム）に設定される延長停止時間を、ゲームカウンタの値が４９（５０回目のゲーム）である場合に設定される延長停止時間とは異なる時間（例えば３秒）としても良い。
【０１３４】
すなわち、遊技制御装置３０が、始動記憶手段（遊技制御装置３０）に記憶された始動記憶により変動表示ゲームを連続して実行させる場合に、今回の変動表示ゲームの停止結果態様を導出してから次回の変動表示ゲームを開始する間に停止時間を設定する停止時間制御手段をなす。なお、停止時間制御手段は、通常停止時間と、該通常停止時間よりも時間が長い延長停止時間とを設定可能である。また、次回の変動表示ゲームが連続して実行されない場合（始動記憶が０である場合）でも停止時間は設定される。そして、停止時間制御手段（遊技制御装置３０）は、特定遊技状態が終了する所定回数目（５０回目もしくは１００回目）の変動表示ゲームに対して延長停止時間を設定するようにしている。また、停止時間制御手段（遊技制御装置３０）は、特定遊技状態が終了することとなる変動表示ゲームの実行回数となる前であっても特定遊技状態継続数選択手段（遊技制御装置３０）の選択肢として設定されている回数と同回数目（５０回目）の変動表示ゲームに対して延長停止時間を設定するようにしている。
【０１３５】
また、本実施形態の遊技機は、始動記憶手段に記憶されて未だ特図変動表示ゲームの実行前の特図始動記憶を対象として、対象となる特図変動表示ゲームよりも以前から当該特図変動表示ゲームの結果を予告することが可能となっている。この特図変動表示ゲームの結果の予告は、例えば、特別結果を導出する特図変動表示ゲームを実行する始動記憶の存在を予告するものである。なお、必ずしも特別結果の導出を予告するものでなくても良く、特別結果の導出の可能性があることを予告するものとしても良い。また、リーチ状態の発生を予告するものとしても良い。また、予告の実行期間としては、一の特図変動表示ゲームにおいて行う予告や、複数の特図変動表示ゲームに亘って連続的に予告演出を行う連続的な予告などを実行可能である。
【０１３６】
ここで、上述したように時短遊技状態においては、５０回目及び１００回目の特図変動表示ゲームの停止時間として通常停止時間より長い延長停止時間が設定され、この延長停止時間において種々の演出が行われる。この延長停止時間が設定されることとなる特図変動表示ゲームにおいて、当該特図変動表示ゲームの後に実行される特図変動表示ゲームの結果についての予告演出を行うと、異なる種類の演出が重複して演出の内容が明確でなくなったり、連続的な予告の場合は連続性が失われたりし、演出の効果が低減してしまう虞がある。そこで、延長停止時間が設定される特図変動表示ゲームにおいては当該特図変動表示ゲームの後に実行される特図変動表示ゲームの結果についての予告演出を禁止するようにしている。
【０１３７】
図１４，１５には、延長停止時間が設定される特図変動表示ゲームにおいては当該特図変動表示ゲームの後に実行される特図変動表示ゲームの結果についての予告演出を禁止する例を示した。なお、図１４に示した（ａ）から（ｆ）の表示は、図１５の（ａ）から（ｆ）に対応している。
【０１３８】
この例では、まず特図変動表示ゲームで１５Ｒ通常２の特別結果態様が導出され、１００回の特図変動表示ゲームを行うまで普通電動入賞装置７が時短動作状態となる時短遊技状態が開始している（図１４のｔ１）。この時短遊技状態においては普通電動入賞装置７の動作状態が時短動作状態となるため特図２始動記憶が発生しやすくなる。よって、特図１変動表示ゲームに優先して実行される特図２変動表示ゲームが連続して実行されることとなる。
【０１３９】
また、時短遊技状態で５０回目の特図変動表示ゲーム（図１４のｔ４からｔ６）では、図１３に示した処理により延長停止時間（図１４のｔ５からｔ６）が設定される。この時短遊技状態で５０回目の特図変動表示ゲームでは、図１５（ｂ）に示すように所定時間に亘り特別識別情報の変動表示が行われた後に、図１５（ｃ）に示すように特別識別情報が仮停止された状態となる。この仮停止の状態では識別情報が揺れるように表示されており、完全には停止していないことが示される。その後、延長停止時間となると、識別情報は完全に停止した状態となるとともに、表示部４３ａの端に表示されるようになる。この延長停止時間では、表示部４３ａの中央に時短遊技状態を継続するか否かを報知するためのゲーム画像５３が表示される。
【０１４０】
この例では時短回数が１００回であるため、時短遊技状態を継続するか否かを報知するゲーム画像５３で継続する旨の結果が報知され、図１５（ｅ）に示すように時短遊技状態で５１回目の特図変動表示ゲームが開始される。この時短遊技状態を継続するか否かを報知するゲーム画像５３は、遊技制御装置３０から受信した情報に基づき演出制御装置４０が制御するようになっている。すなわち、演出制御装置４０が、停止時間制御手段（遊技制御装置３０）により設定された延長停止時間において、所定の演出を行う停止期間演出手段をなす。
【０１４１】
このように通常停止時間よりも長い延長停止時間が設定されることで、延長された停止時間内で期待感や興趣の高い演出を行うことが可能となる。また、停止時間の延長により特定遊技状態の継続や終了を確実に報知することができる。また、特定遊技状態の終了を特別遊技状態の発生時に予め報知するよりも、特定遊技状態中の期待感を高めることができるし、特定遊技状態が継続するか否かを興趣性の高い態様で報知することができる。また、特定遊技状態が終了することとなる特図変動表示ゲームで設定された延長停止時間中は未だ特定遊技状態となっている。したがって、延長停止時間中に普図変動表示ゲームの結果が導出された場合には、普通電動入賞装置７の開放パターンが遊技者に有利なパターンとなる。これにより、延長停止時間中の遊技者の止め打ちを防止できるし、特定遊技状態の終了時に始動記憶が上限となりやすく、遊技者に有利になる。
【０１４２】
以上のことから、停止時間制御手段（遊技制御装置３０）により設定された延長停止時間において、所定の演出を行う停止期間演出手段（演出制御装置４０）を備えていることとなる。
【０１４３】
また、開状態と閉状態とに変換可能に構成されるとともに遊技球の入賞に基づき変動表示ゲームの実行権利を付与する普通電動入賞装置７と、特別遊技状態の終了後、所定回数変動表示ゲームが実行される期間を限度として、普通電動入賞装置７の変換制御を変更することで変動表示ゲームの実行権利の獲得を容易にした特定遊技状態を発生させる特定遊技状態発生手段（遊技制御装置３０）と、を備え、停止時間制御手段（遊技制御装置３０）は、特定遊技状態が終了する所定回数目の変動表示ゲームに対して延長停止時間を設定するものとし、停止期間演出手段（演出制御装置４０）は、延長停止時間において特定遊技状態が終了する旨を報知するための演出を行うようにしたこととなる。
【０１４４】
また、特定遊技状態発生手段（遊技制御装置３０）は、該特定遊技状態が終了することとなる変動表示ゲームの回数を予め定められた複数通りの回数のうちから選択する特定遊技状態継続数選択手段（遊技制御装置３０）を含み、停止時間制御手段（遊技制御装置３０）は、特定遊技状態が終了することとなる変動表示ゲームの実行回数（１００回）となる前であっても特定遊技状態継続数選択手段の選択肢として設定されている回数（５０回）と同回数目の変動表示ゲームに対して延長停止時間を設定するものとし、停止期間演出手段（演出制御装置４０）は、延長停止時間において、その結果により特定遊技状態が継続するか否かを報知する演出ゲームを行うようにしたこととなる。
【０１４５】
ここで、図１５（ａ）に示すように、時短遊技状態で４９回目の特図変動表示ゲームの実行中（図１４のｔ２からｔ３）に、連続的な予告の対象となりうる３つめの特図２始動記憶が発生している。この連続的な予告の対象となりうる始動記憶とは、後述するように結果が大当りとなるものや、特定のリーチを発生することが先読み処理により判明したものである。なお、図１５では説明のために連続的な予告の対象となりうる始動記憶を他の始動記憶と区別して表示しているが実際には区別して表示せず、遊技者には連続的な予告の対象となりうる始動記憶の有無が分からないようにすることが好ましい。ただし、連続的な予告の対象となりうる始動記憶の有無が分かるようにしても良い。
【０１４６】
このように連続的な予告の対象となりうる始動記憶が発生した場合に、延長停止時間を跨ぐことがなければ、所定の確率で連続的な予告が開始される。この連続的な予告は、連続的な予告の対象となりうる始動記憶に基づく特図変動表示ゲームよりも前に実行される複数の変動表示ゲームに亘って連続的に予告を行うものである。また、実行中の特図変動表示ゲームにおける所定期間内に連続的な予告の対象となりうる始動記憶が発生した場合は、実行中の特図変動表示ゲームから連続的な予告が開始される。すなわち、延長停止時間がなければ、図１４に括弧書きで示すように、連続的な予告の対象となる始動記憶に基づく特図変動表示ゲームに亘る複数の特図変動表示ゲームで連続予告が実行される。
【０１４７】
しかし、この例では時短遊技状態で４９回目の特図変動表示ゲームの実行中に発生した連続的な予告の対象となりうる３つめの特図２始動記憶が、時短遊技状態で５２回目の特図変動表示ゲーム（図１４のｔ８から開始）を実行する始動記憶となっている。つまり、延長停止時間（図１４のｔ５からｔ６）に跨って連続予告が実行されてしまうこととなる。このような場合には、図１５（ａ）から（ｄ）に示すように、延長停止時間が設定される５０回目の特図変動表示ゲームの終了までは連続予告の実行を禁止する。そして、図１５（ｅ）に示すように、５１回目の特図変動表示ゲームから連続予告が開始されて、変動時間（図１４のｔ６からｔ７）において連続予告画像５４が表示される。ただし、この例では５２回目の特図変動表示ゲームが予告対象であったので、５１回目の特図変動表示ゲームでのみ、すなわち一の特図変動表示ゲームで予告が行われる。なお、連続的な予告の対象となった５２回目の特図変動表示ゲームは、図１５（ｆ）に示すようにリーチ状態が発生するなど、大当りへの期待感が高い特図変動表示ゲームが実行される。
【０１４８】
なお、図１４の最下段に示すように時短回数が５０回であった場合は、図１５（ｄ）で示した時短遊技状態を継続するか否かを報知するゲーム画像５３で終了する旨の結果が報知されて通常遊技状態となるが、上述と同様に予告が行われる。ただし、通常遊技状態であるため、変動時間は時短遊技状態よりも長くなっている。
【０１４９】
なお、連続予告の演出内容は表示部４３ａに連続予告画像５４を表示するものに限られるものではない。例えば、背景や音声、ランプやＬＥＤの発光態様なども変化させるようにしても良い。さらに、対象となる始動記憶に基づく特図変動表示ゲームに亘って、特定の図柄停止態様（例えば「１，２，３」）の表示やリーチ状態の発生を連続して行うものなどの停止図柄による演出も可能である。また、単に画像表示を連続的に行う場合の他、キャラクタ等を登場させて変動表示ゲーム毎にストーリーが発展するようにすると興趣がより高まる。また、変動時間中に行うようにしたが、特図変動表示ゲーム全般で行うもの、停止時間中に行うもの、それらの組合せで行うものなど何でも良い。また、「連続的に予告」とは、同一あるいは相互に関連性のある予告演出を複数の特図変動表示ゲームで連続させるもの、特図変動表示ゲームの進行によりストーリーが発展するものなどである。なお、複数の特図変動表示ゲームの全てで予告を発生させないで、途中の特図変動表示ゲームで一旦予告を行わない期間があってもよい。また、予告の対象となる特図変動表示ゲームにおいても予告を行う場合には、それ以前の特図変動表示ゲームと対象の特図変動表示ゲームとで連続的な予告としてもよい。
【０１５０】
このような連続予告の設定や禁止の制御を行うために、演出制御装置４０では図１６に示す連続予告設定処理が行われる。なお、図１６に示す連続予告設定処理は遊技状態が時短遊技状態である場合に実行されるものであり、遊技状態が通常遊技状態や確率変動状態である場合には、図１６に示す連続予告設定処理に替えて別の連続予告設定処理が行われる。
【０１５１】
この連続予告設定処理では、まず、予告遅延カウンタが０であるか否かの判定（ステップＳ１００）を行う。予告遅延カウンタの設定の詳細については後述するが、発生した特図２始動記憶を対象として連続予告を行うと、当該連続予告が延長停止時間を跨ぐこととなる場合に値が加算されるものである。すなわち、連続予告の実行を禁止する際に値が加算されるものである。この予告遅延カウンタが０であるか否かの判定（ステップＳ１００）において、予告遅延カウンタが０である場合（ステップＳ１００；Ｙｅｓ）は、特図２記憶数コマンドを受信したか否かの判定（ステップＳ１０１）を行う。
【０１５２】
特図２記憶数コマンドは特図２始動記憶が発生した場合に遊技制御装置３０から演出制御装置４０に送信されるものである。この特図２記憶数コマンドを受信したか否かの判定（ステップＳ１０１）において、特図２記憶数コマンドを受信していない場合（ステップＳ１０１；Ｎｏ）は、連続予告設定処理を終了する。また、特図２記憶数コマンドを受信したか否かの判定（ステップＳ１０１）において、特図２記憶数コマンドを受信している場合（ステップＳ１０１；Ｙｅｓ）は、ゲームカウンタ＋記憶数が９９以下であるか否かの判定（ステップＳ１０２）を行う。
【０１５３】
ゲームカウンタ＋記憶数が９９以下であるか否かの判定（ステップＳ１０２）では、発生した特図２始動記憶を対象として連続予告を行った場合に、延長停止時間が設定されることとなる１００回目の特図変動表示ゲームを跨ぐかが判定される。このゲームカウンタ＋記憶数が９９以下であるか否かの判定（ステップＳ１０２）において、ゲームカウンタ＋記憶数が９９以下でない場合（ステップＳ１０２；Ｎｏ）は、予告遅延カウンタを１インクリメントする処理（ステップＳ１０５）を行い、連続予告設定処理を終了する。
【０１５４】
すなわちこの場合は、発生した特図２始動記憶を対象として連続予告を開始すると、延長停止時間が設定されることとなる１００回目の特図変動表示ゲームを跨ぐこととなるため、連続予告の設定に関する処理（ステップＳ１０８からＳ１２０）をここでは行わない（連続予告を禁止する）。このため、予告遅延カウンタを加算しておき、延長停止時間が設定されることとなる１００回目の特図変動表示ゲームが終了した後に連続予告の設定を行うようにする。なお、延長停止時間が設定されることとなる１００回目の特図変動表示ゲームが終了すると時短遊技状態が終了して通常遊技状態となるが、通常遊技状態で行われる連続予告設定処理において、当該特図２始動記憶について予告遅延カウンタの値に基づき連続予告の設定に関する処理が行われるようになっている。
【０１５５】
また、ゲームカウンタ＋記憶数が９９以下であるか否かの判定（ステップＳ１０２）において、ゲームカウンタ＋記憶数が９９以下である場合（ステップＳ１０２；Ｙｅｓ）は、ゲームカウンタの値が４９以下であるか否かの判定（ステップＳ１０３）を行う。すなわちこの場合は、発生した特図２始動記憶を対象として連続予告を開始しても延長停止時間が設定されることとなる１００回目の特図変動表示ゲームを跨がない場合である。
【０１５６】
ゲームカウンタの値が４９以下であるか否かの判定（ステップＳ１０３）では、発生した特図２始動記憶を対象として連続予告を行った場合に、延長停止時間が設定されることとなる５０回目の特図変動表示ゲームを跨ぐ可能性があるかが判定される。このゲームカウンタの値が４９以下であるか否かの判定（ステップＳ１０３）において、ゲームカウンタの値が４９以下でない場合（ステップＳ１０３；Ｎｏ）は、当該記憶に対応する連続予告演出コマンドを取得する処理（ステップＳ１０８）を行う。すなわちこの場合は、延長停止時間が設定されることとなる５０回目の特図変動表示ゲームを跨ぐこととはないため、連続予告の設定に関する処理（ステップＳ１０８からＳ１２０）を行う。
【０１５７】
また、ゲームカウンタの値が４９以下であるか否かの判定（ステップＳ１０３）において、ゲームカウンタの値が４９以下である場合（ステップＳ１０３；Ｙｅｓ）は、ゲームカウンタ＋記憶数が４９以下であるか否かの判定（ステップＳ１０４）を行う。すなわちこの場合は、発生した特図２始動記憶を対象として連続予告を開始すると延長停止時間が設定されることとなる５０回目の特図変動表示ゲームを跨ぐ可能性がある場合である。
【０１５８】
ゲームカウンタ＋記憶数が４９以下であるか否かの判定（ステップＳ１０４）では、発生した特図２始動記憶を対象として連続予告を行った場合に、延長停止時間が設定されることとなる５０回目の特図変動表示ゲームを跨ぐかが判定される。このゲームカウンタ＋記憶数が４９以下であるか否かの判定（ステップＳ１０４）において、ゲームカウンタ＋記憶数が４９以下でない場合（ステップＳ１０４；Ｎｏ）は、予告遅延カウンタを１インクリメントする処理（ステップＳ１０５）を行い、連続予告設定処理を終了する。すなわちこの場合は、発生した特図２始動記憶を対象として連続予告を開始すると延長停止時間が設定されることとなる５０回目の特図変動表示ゲームを跨ぐこととなるため、連続予告の設定に関する処理（ステップＳ１０８からＳ１２０）をここでは行わない。このため、予告遅延カウンタを加算しておき、延長停止時間が設定されることとなる５０回目の特図変動表示ゲームが終了した後に連続予告の設定を行うようにする。なお、時短回数が５０回の場合は、延長停止時間が設定されることとなる５０回目の特図変動表示ゲームが終了すると時短遊技状態が終了して通常遊技状態となるが、通常遊技状態で行われる連続予告設定処理において、当該特図２始動記憶について予告遅延カウンタの値に基づき連続予告の設定に関する処理が行われるようになっている。
【０１５９】
また、ゲームカウンタ＋記憶数が４９以下であるか否かの判定（ステップＳ１０４）において、ゲームカウンタ＋記憶数が４９以下である場合（ステップＳ１０４；Ｙｅｓ）は、当該記憶に対応する連続予告演出コマンドを取得する処理（ステップＳ１０８）を行う。すなわちこの場合は、発生した特図２始動記憶を対象として連続予告を開始しても延長停止時間が設定されることとなる５０回目の特図変動表示ゲームを跨ぐこととはないため、連続予告の設定に関する処理（ステップＳ１０８からＳ１２０）を行う。
【０１６０】
一方、予告遅延カウンタの値が０であるか否かの判定（ステップＳ１００）において、予告遅延カウンタの値が０でない場合は、ゲームカウンタが５０であるか否かの判定（ステップＳ１０６）を行う。このゲームカウンタが５０であるか否かの判定（ステップＳ１０６）では、延長停止時間が設定される５０回目の特図変動表示ゲームが終了したかが判定される。ゲームカウンタが５０であるか否かの判定（ステップＳ１０６）において、ゲームカウンタが５０でない場合（ステップＳ１０６；Ｎｏ）は、特図２記憶数コマンドを受信したか否かの判定（ステップＳ１０１）を行う。また、ゲームカウンタが５０であるか否かの判定（ステップＳ１０６）において、ゲームカウンタが５０である場合（ステップＳ１０６；Ｙｅｓ）は、予告遅延カウンタを１デクリメントする処理（ステップＳ１０７）を行い、当該記憶に対応する連続予告演出コマンドを取得する処理（ステップＳ１０８）を行う。すなわちこの場合は、延長停止時間が設定される５０回目の特図変動表示ゲームが終了したので、連続予告の設定に関する処理を保留し、予告遅延カウンタを加算した特図２始動記憶について連続予告の設定に関する処理（ステップＳ１０８からＳ１２０）を行う。
【０１６１】
なお、連続予告の設定に関する処理を保留し、予告遅延カウンタを加算した特図２始動記憶についての連続予告の設定に関する処理（ステップＳ１０８からＳ１２０）における「当該記憶」は、連続予告の設定に関する処理を保留していた特図２始動記憶とする。また、複数の特図２始動記憶についての連続予告の設定に関する処理が保留されている場合は、予告遅延カウンタの値が連続予告の設定に関する処理が保留されている特図２始動記憶の分だけ加算されている。よって、予告遅延カウンタの値が０になるまで同じ処理が繰り返されて、連続予告の設定に関する処理が保留されている特図２始動記憶のそれぞれについて順次連続予告の設定に関する処理が行われる。
【０１６２】
このとき、記憶された順に連続予告の設定に関する処理を行うようにすることで、連続予告の実行に際して不都合が生じる可能性を低減することができる。例えば、連続予告の設定に関する処理が保留されている特図２始動記憶に結果がはずれであるＳＰリーチを発生するものが２つある場合、記憶された順とは逆の順に連続予告の設定に関する処理を行う場合に不都合が生じる可能性が高まってしまう。ここで、結果がはずれであるＳＰリーチを発生する２つの始動記憶のうち、先に消化される始動記憶のＳＰリーチを先のＳＰリーチとし、後に消化される始動記憶のＳＰリーチを後のＳＰリーチとする。後述するようにＳＰリーチを発生する始動記憶を対象として所定の確率で連続予告を実行するようになっており、記憶された順とは逆の順に処理を行うと、後のＳＰリーチを対象として連続予告の実行が決定される可能性がある。後のＳＰリーチを対象として連続予告が実行されると、連続予告の実行中に先のＳＰリーチが発生するので、延長停止時間を跨ぐ場合と同様に予告の連続性が失われて演出の効果が低減してしまう虞がある。しかし、記憶された順に処理を行えば、先のＳＰリーチを対象として連続予告の実行が決定される可能性が高く、演出の効果が低減してしまうことを防止できる。
【０１６３】
以下、連続予告の設定に関する処理（ステップＳ１０８からＳ１２０）について説明する。当該記憶に対応する連続予告演出コマンドを取得する処理（ステップＳ１０８）では、遊技制御装置３０から送信された連続予告演出コマンド（図１０参照）を取得する処理を行う。その後当該記憶より前に当りがあるか否かの判定（ステップＳ１０９）を行う。
【０１６４】
当該記憶より前に当りがあるか否かの判定（ステップＳ１０９）では、当該記憶よりも先に消化される始動記憶に、当該始動記憶に基づく特図変動表示ゲームの結果が大当りとなるものがあるかが判定される。なお、この判定は、例えば、始動記憶の先読み結果において、当該始動記憶に基づく特図変動表示ゲームの結果が大当りとなる場合にのみ演出制御装置４０に送信される連続予告演出コマンド４の有無により行うことができる。この当該記憶より前に当りがあるか否かの判定（ステップＳ１０９）において、当該記憶より前に当りがある場合（ステップＳ１０９；Ｙｅｓ）は、連続予告設定処理を終了する。すなわちこの場合は、連続予告の実行を決定しても連続予告の実行中の大当りが発生してしまうため、連続予告の設定に関する処理を終了する。また、当該記憶より前に当りがあるか否かの判定（ステップＳ１０９）において、当該記憶より前に当りがない場合（ステップＳ１０９；Ｎｏ）は、連続予告演出発生フラグがセットされているか否かの判定（ステップＳ１１０）を行う。
【０１６５】
この連続予告演出発生フラグがセットされているか否かの判定（ステップＳ１１０）において、連続予告演出発生フラグがセットされている場合（ステップＳ１１０；Ｙｅｓ）は、連続予告設定処理を終了する。この場合は、連続予告の設定に関する処理を行っている特図２始動記憶よりも先に消化される特図２始動記憶を対象とした連続予告が実行中もしくは実行の決定がなされている場合である。また、連続予告演出発生フラグがセットされているか否かの判定（ステップＳ１１０）において、連続予告演出発生フラグがセットされていない場合（ステップＳ１１０；Ｎｏ）は、当該記憶は当りであるか否かの判定（ステップＳ１１１）を行う。
【０１６６】
当該記憶は当りである否かの判定（ステップＳ１１１）では、当該始動記憶について受信した連続予告演出コマンドが連続予告演出コマンド４であるかが判定される。この当該記憶は当りである否かの判定（ステップＳ１１１）において、当該記憶は当りでない場合（ステップＳ１１１；Ｎｏ）は、当該記憶はＳＰリーチであるか否かの判定（ステップＳ１１２）を行う。
【０１６７】
当該記憶はＳＰリーチである否かの判定（ステップＳ１１２）では、受信した連続予告演出コマンドが連続予告演出コマンド２もしくは３であるかが判定される。この当該記憶はＳＰリーチである否かの判定（ステップＳ１１２）において、当該記憶はＳＰリーチでない場合（ステップＳ１１２；Ｎｏ）は、連続予告設定処理を終了する。なお、連続予告演出コマンドが送信されなかった特図２始動記憶については、当該記憶は当りでない（ステップＳ１１１；Ｎｏ）と判定されるとともに当該記憶はＳＰリーチでない（ステップＳ１１２；Ｎｏ）と判定されて連続予告設定処理を終了する。
【０１６８】
また、当該記憶はＳＰリーチである否かの判定（ステップＳ１１２）において、当該記憶はＳＰリーチである場合（ステップＳ１１２；Ｙｅｓ）は、ハズレ用の連続予告を所定の確率で発生させるための連続予告決定乱数を取得する処理（ステップＳ１１３）を行う。そして、ハズレ用連続振り分けテーブルから連続予告発生かを決定する処理（ステップＳ１１４）を行い、取得した連続予告決定乱数をハズレ用連続振り分けテーブルに参照して連続予告を発生するか否かを決定する。その後、連続予告を発生するか否かの判定（ステップＳ１１９）を行う。
【０１６９】
このように始動記憶に基づく特図変動表示ゲームの結果がハズレである場合も連続予告を実行可能としたことで、連続予告の発生機会を高めることができ、連続予告が行われても必ずしも特別遊技状態が発生するものではなくなるため、興趣を高めることができる。また、ＳＰリーチの場合も所定の確率でハズレ時の連続予告を発生させることで、連続予告に対する信頼度が低下してしまうことを防止できる。なお、この場合の予告は、変動表示ゲームの途中結果態様がいわゆるリーチ状態となるリーチ途中結果態様となることを予告するものである。また、変動表示ゲームの途中結果態様がいわゆるリーチ途中結果態様となり停止結果態様がはずれとなるリーチ外れ結果態様となることを予告するものともいえる。ただし、結果が大当りとなるリーチ状態が発生する場合と同じような態様の予告が実行されるので、明確にはずれを予告するものではなく、例えば、信頼度の低い予告演出がなされて間接的にはずれの可能性が高いことが予告される。
【０１７０】
一方、当該記憶は当りである否かの判定（ステップＳ１１１）において、当該記憶は当りである場合（ステップＳ１１１；Ｙｅｓ）は、停止図柄パターンより連続作動回数を取得する処理（ステップＳ１１５）を行う。停止図柄パターンより連続作動回数を取得する処理（ステップＳ１１５）では、遊技制御装置３０から送信される停止図柄パターンコマンドから、当該始動記憶に基づく特図変動表示ゲームでの特別結果態様の種類を取得し、連続作動回数（ラウンド数、１５Ｒもしくは２Ｒ）を取得する。そして、取得した連続作動回数は所定数以上であるか否かの判定（ステップＳ１１６）を行う。
【０１７１】
取得した連続作動回数は所定数以上であるか否かの判定（ステップＳ１１６）では、停止図柄パターンより連続作動回数を取得する処理（ステップＳ１１５）で取得した連続作動回数が３以上であるかが判定される。なお、本実施形態の遊技機ではラウンド数は１５Ｒか２Ｒの何れかであるので、ラウンド数が１５Ｒであるか否かを判定しているとも言える。この取得した連続作動回数は所定数以上であるか否かの判定（ステップＳ１１６）において、取得した連続作動回数は所定数以上でない場合（ステップＳ１１６；Ｎｏ）、すなわち２Ｒであった場合は、連続予告設定処理を終了する。すなわち、第２の特別遊技状態に対する予告報知を禁止するようにしている。これにより、予告報知が行われて遊技者の期待感を高めたにもかかわらず、結果として遊技者にそれ程有利でない２Ｒ確変の大当りが発生してしまいかえって不満感を高めてしまうことを防止できる。
【０１７２】
また、取得した連続作動回数は所定数以上であるか否かの判定（ステップＳ１１６）において、取得した連続作動回数は所定数以上である場合（ステップＳ１１６；Ｙｅｓ）、すなわち１５Ｒであった場合は、当り用の連続予告を所定の確率で発生させるための連続予告決定乱数を取得する処理（ステップＳ１１７）を行う。
【０１７３】
連続予告決定乱数を取得する処理（ステップＳ１１７）を行った後、アタリ用連続振り分けテーブルから連続予告発生かを決定する処理（ステップＳ１１８）を行い、取得した連続予告決定乱数をアタリ用連続振り分けテーブルに参照して連続予告を発生するか否かを決定する。その後、連続予告を発生するか否かの判定（ステップＳ１１９）を行う。なお、アタリ用連続振り分けテーブルは、ハズレ用連続振り分けテーブルよりも連続予告の実行を決定する確率が高くなるようにされている。なお、この場合の予告は、特図変動表示ゲームの停止結果態様が特別結果態様となることを予告するものであり、この場合はリーチ状態が発生するため、変動表示ゲームの途中結果態様がいわゆるリーチ状態となるリーチ途中結果態様となることを予告するものでもある。ただし、結果がはずれとなるリーチ状態が発生する場合と同じような態様の予告が実行されるので、明確に大当りを予告するものではなく、例えば、信頼度の高い予告演出がなされて間接的に大当りの可能性が高いことが予告される。もちろん明確に大当りを予告するもの（いわゆる確定報知）を行うようにしても良い。
【０１７４】
連続予告を発生するか否かの判定（ステップＳ１１９）では、ハズレ用連続振り分けテーブルから連続予告発生かを決定する処理（ステップＳ１１４）もしくはアタリ用連続振り分けテーブルから連続予告発生かを決定する処理（ステップＳ１１８）の結果、連続予告を発生することとなったかが判定される。この連続予告を発生するか否かの判定（ステップＳ１１９）において、連続予告を発生しない場合（ステップＳ１１９；Ｎｏ）は、連続予告処理を終了する。
【０１７５】
また、連続予告を発生するか否かの判定（ステップＳ１１９）において、連続予告を発生する場合（ステップＳ１１９；Ｙｅｓ）は、予告遅延カウンタをクリアする処理（ステップＳ１２０）を行い、該当記憶前に実行される始動記憶数を連続予告実行回数にセットする処理（ステップＳ１２１）を行う。そして、連続予告発生フラグをセットする処理（ステップＳ１２２）を行って、連続予告設定処理を終了する。なお、該当記憶前に実行される始動記憶数を連続予告実行回数にセットする処理（ステップＳ１２１）でセットされる連続予告実行回数は、始動記憶の消化順序に従って連続予告の対象となる始動記憶に基づく特図変動表示ゲームの実行までに消化される始動記憶の数である。また、ここでセットされる連続予告実行回数は、連続予告の実行毎に（特図変動表示ゲームの実行毎に）１ずつ減算されるようになっている。そして、連続予告実行回数が０になると連続予告が終了する。
【０１７６】
このような連続予告の設定や禁止の制御を行うことで、変動表示ゲームの停止時間を延長しても予告を効率よく行うことができる。すなわち、延長停止時間の終了前に予告が行われて当該予告の対象となる特図変動表示ゲームが延長停止時間の後に行われるような延長停止時間を跨ぐ予告が禁止されることとなる。これにより、延長停止時間の挿入により予告と結果の関連が明確でなくなる等、予告が効率よく行えないといったことを防止できる。また、延長停止時間の前や途中から延長停止時間の後に行われる特図変動表示ゲームに亘って連続的に行われるような延長停止時間を跨ぐ連続的な予告が禁止されることとなる。これにより、延長停止時間の挿入により予告と結果の関連が明確でなくなる等の予告に対する不都合や、連続的な予告が明確でなくなったりテンポよく連続的な予告が実行できなかったりする等の連続的な予告に対する不都合を防止でき、連続的な予告が効率よく行えないといったことを防止できる。また、予告を禁止した場合に、延長停止時間が設定された変動表示ゲーム以降の変動表示ゲームにおいて予告を行うので、延長停止時間の設定により予告が中止になってしまうことを防止でき、予告による期待感の向上は維持することができる。また、大当り事前判定手段と変動パターン事前判定手段の判定結果に基づいて予告を行うので、特別遊技状態の発生および特定の変動パターンでの変動表示ゲームの発生に対する期待感を高めることができる。
【０１７７】
なお、通常遊技状態における連続予告設定処理では、ステップＳ１０２からＳ１０６の処理を行わない。また、特図２記憶数コマンドを受信したか否かの判定（ステップＳ１０１）を特図１記憶数コマンド、特図２記憶数コマンドを受信したか否かの判定とし、特図１始動記憶についても連続予告の設定を可能とする。また、確率変動状態における連続予告設定処理では、ステップＳ１０２からＳ１０６の処理を行わない。
【０１７８】
すなわち、演出制御装置４０が、始動記憶手段（遊技制御装置３０）に記憶されて未だ変動表示ゲームの実行前の始動記憶を対象として、対象となる変動表示ゲームよりも以前から当該変動表示ゲームの結果を予告する予告手段をなす。より詳細には、遊技制御装置３０及び演出制御装置４０が、特図１或いは特図２始動記憶に対応して記憶された結果に関わる結果関連情報を事前判定し、該判定結果に基づいて当該始動記憶よりも以前に記憶されていた始動記憶を含んだ複数の始動記憶に対応する複数の変動表示ゲームに亘って連続的に演出を行う予告手段をなす。また、演出制御装置４０が、延長停止時間が設定される変動表示ゲームにおいては、当該変動表示ゲームの後に実行される変動表示ゲームの結果についての予告を禁止する予告禁止手段をなす。
【０１７９】
また、演出制御装置４０では、連続予告の停止に関する処理である連続予告停止処理を行う。図１７に示すように、この連続予告停止処理では、まず、連続予告中であるか否かの判定（ステップＳ１３０）を行う。この連続予告中であるか否かの判定（ステップＳ１３０）において、連続予告中でない場合（ステップＳ１３０；Ｎｏ）は、連続予告停止処理を終了する。また、連続予告中であるか否かの判定（ステップＳ１３０）において、連続予告中である場合（ステップＳ１３０；Ｙｅｓ）は、連続予告実行回数が０であるか否かの判定（ステップＳ１３１）を行う。
【０１８０】
連続予告実行回数が０であるか否かの判定（ステップＳ１３１）において、連続予告実行回数が０である場合（ステップＳ１３１；Ｙｅｓ）は、連続予告発生フラグをクリアする処理（ステップＳ１３３）を行い、連続予告停止処理を終了する。すなわちこの場合は、連続予告を予定していた回数実行した場合である。また、連続予告実行回数が０であるか否かの判定（ステップＳ１３１）において連続予告実行回数が０でない場合（ステップＳ１３１；Ｎｏ）は、ファンファーレコマンドを受信したか否かの判定（ステップＳ１３２）を行う。
【０１８１】
ファンファーレコマンドは、特図変動表示ゲームの結果が特別結果態様となった場合に実行されるファンファーレ／インターバル中処理（ステップＳ４０、図７参照）で設定されて演出制御装置４０に送信されるものである。このファンファーレコマンドを受信したか否かの判定（ステップＳ１３２）において、ファンファーレコマンドを受信していない場合（ステップＳ１３２；Ｎｏ）は、連続予告停止処理を終了する。また、ファンファーレコマンドを受信したか否かの判定（ステップＳ１３２）において、ファンファーレコマンドを受信している場合（ステップＳ１３２；Ｙｅｓ）は、連続予告発生フラグをクリアする処理（ステップＳ１３３）を行い、連続予告停止処理を終了する。すなわちこの場合は、通常遊技状態において所定の特図１始動記憶を実行の契機とした連続予告の実行中に、特図１始動記憶よりも優先的に消化される特図２始動記憶が発生し、当該特図２始動記憶に基づく特図２変動表示ゲームの結果が大当りとなった場合である。
【０１８２】
このような処理により、連続予告を予定していた回数実行した場合、および、通常遊技状態において所定の特図１始動記憶を実行の契機とした連続予告の実行中に特図１始動記憶よりも優先的に消化される特図２始動記憶が発生し、当該特図２始動記憶に基づく特図２変動表示ゲームの結果が大当りとなった場合に連続予告が停止されるようになる。
【０１８３】
以上のことから、複数の識別情報による変動表示ゲームの停止結果態様が特別結果態様となった場合に、遊技者にとって有利な特別遊技状態を発生させるようにした遊技機１００であって、変動表示ゲームを実行させる権利を所定数の範囲内で始動記憶として記憶可能な始動記憶手段（遊技制御装置３０）と、始動記憶手段に記憶されて未だ変動表示ゲームの実行前の始動記憶を対象として、対象となる変動表示ゲームよりも以前から当該変動表示ゲームの結果を予告する予告手段（演出制御装置４０）と、始動記憶手段に記憶された始動記憶により変動表示ゲームを連続して実行させる場合に、今回の変動表示ゲームの停止結果態様を導出してから次回の変動表示ゲームを開始する間に停止時間を設定する停止時間制御手段（遊技制御装置３０）を備え、停止時間制御手段は、通常停止時間と、該通常停止時間よりも時間が長い延長停止時間とを設定可能とし、予告手段は、延長停止時間の後に実行される変動表示ゲームの結果について、延長停止時間の終了前に予告を行うことを禁止する予告禁止手段（演出制御装置４０）を備えていることとなる。
【０１８４】
また、始動記憶に対応して記憶されている特別遊技状態の発生を決定するための大当り乱数の値を、当該始動記憶に対応する変動表示ゲームの実行前に事前に判定する大当り事前判定手段（遊技制御装置３０）と、始動記憶に対応して記憶されている変動表示ゲームの変動パターンを決定するための変動パターン乱数の値を、当該始動記憶に対応する変動表示ゲームの実行前に事前に判定する変動パターン事前判定手段（遊技制御装置３０）と、を備え、予告手段（演出制御装置４０）は、大当り事前判定手段と変動パターン事前判定手段の判定結果に基づいて予告を行うようにしていることとなる。
【０１８５】
また、予告手段（演出制御装置４０）は、予告の対象となる変動表示ゲームよりも以前に実行される複数の変動表示ゲームに亘って連続的に予告を行うものとし、予告禁止手段（演出制御装置４０）は、延長停止時間が設定される変動表示ゲームの後に実行される変動表示ゲームの結果について、延長停止時間が間に設定される複数の変動表示ゲームに亘る連続的な予告を禁止するようにしていることとなる。
【０１８６】
また、予告禁止手段（演出制御装置４０）が予告を禁止した場合に、予告手段（演出制御装置４０）は、延長停止時間が設定された変動表示ゲーム以降の変動表示ゲームにおいて予告を行うようにしていることとなる。
【０１８７】
なお、本実施形態の遊技機では、図１８（ａ）に示すように、特図変動表示ゲームの変動開始時（ｔ１０）に、特図変動表示ゲームの変動開始に関する変動開始情報、変動パターン乱数に基づき決定される変動パターンに関する変動パターン情報、大当り乱数および大当り図柄乱数に基づき決定される結果情報を、遊技制御装置３０から演出制御装置４０に出力するようにしている。演出制御装置４０では、これらの情報に基づき飾り特図変動表示ゲームを開始するようになっている。そして、特図変動表示ゲームの変動停止時（ｔ１１）に、特図変動表示ゲームの変動停止に関する変動停止情報、停止時間などに関する停止パターン情報、残り時短回数などに関する時短結果情報を、遊技制御装置３０から演出制御装置４０に出力するようにしている。演出制御装置４０では、これらの情報に基づき飾り特図変動表示ゲームの変動表示を停止する。例えば、停止パターン情報に基づき、飾り特図変動表示ゲームでの停止時間の設定や、延長停止時間が設定された場合において時短遊技状態の継続や終了の報知を行う。なお、時短結果情報については、例えば大当りの発生時に遊技制御装置３０から演出制御装置４０に時短回数に関する情報が送信されており、あるいは変動開始時に大当り図柄情報が送信されており、演出制御装置４０において残り時短回数などの管理をすることが可能であるため送信しなくても良い。
【０１８８】
しかし、図１８（ｂ）に示すように、特図変動表示ゲームの変動開始時（ｔ１０）に、特図変動表示ゲームの変動開始に関する変動開始情報、変動パターン乱数に基づき決定される変動パターンに関する変動パターン情報、停止時間などに関する停止パターン情報、大当り乱数および大当り図柄乱数に基づき決定される結果情報を、遊技制御装置３０から演出制御装置４０に出力するようにし、変動停止時（ｔ１１）にコマンドを送らないようにすることも可能である。
【０１８９】
すなわち、変動開始時に送信される変動パターン情報には変動時間に関する情報が含まれており、この情報に基づき演出制御装置４０でも変動時間を管理するようにして飾り特図変動表示ゲームを停止するようにすれば、遊技制御装置３０が変動停止情報を送信する必要がなくなる。また、演出制御装置４０では変動開始時に送信されている停止パターン情報に基づき、飾り特図変動表示ゲームでの停止時間の設定や、延長停止時間が設定された場合において時短遊技状態の継続や終了の報知を行うようにする。このようにすることで、コマンドの送信に関する処理を削減でき、制御の負担を軽減することができる。
【０１９０】
なお、この場合、ゲーム分岐処理（ステップＳ３４）において、ゲーム処理番号が３である場合に実行される特図変動停止処理（ステップＳ３８）では、特図変動表示ゲームを停止する処理は行うが、図１３に示すような飾り特図変動表示ゲームの変動停止を指示するコマンド（変動停止コマンド）の設定や、特図変動表示ゲームにおける結果態様の停止表示時間の設定などの処理は行わない。この図１３に示すような処理は、例えば特図普段処理（ステップＳ３５）で、特図変動表示ゲームにおける結果態様の停止表示時間の設定の処理を行い、その情報を変動開始時のコマンドとして演出制御装置４０に送信するようにする。
【０１９１】
また、上述の実施形態の遊技機では、連続演出（予告）を決定する制御を演出制御装置４０で行っているが、この制御を遊技制御装置３０で行うようにしても良い。また、特図１変動表示ゲームと特図２変動表示ゲームの二種類の特図変動表示ゲームを実行するようにしているが、第１始動入賞口１３と普通電動入賞装置７の何れに入賞しても同じ一種類の特図変動表示ゲームのみを実行するようにしても良い。また、予告を複数の特図変動表示ゲームに亘り行う連続予告としたが、一の特図変動表示ゲームのみで予告を行うようにしても良い。また、選択可能な時短回数として５０回と１００回の二種類としたが、三種類以上の複数種類の時短回数を選択可能としても良い。
【０１９２】
また、特図変動表示ゲームが特別結果態様となる確率を通常の確率よりも高めた高確率状態（特図確変状態）を発生させる特図確率変動手段（遊技制御装置３０）を備えるとともに、当該高確率状態を特別遊技状態の終了後、変動表示ゲームが所定回数実行するまで（例えば５回）を限度とする高確率状態制限手段（遊技制御装置３０）を設け（いわゆる回数切り）、当該高確率状態が終了することとなる特図変動表示ゲームに対して延長停止時間を設定するようにしてもよい。このときの延長停止時間中は高確率状態が終了する旨の報知を行う。なお、高確率状態中に普通電動入賞装置７の動作状態を時短動作状態とし、高確率状態の終了後にも所定回数の特図変動表示ゲームを実行するまで時短動作状態とする（時短遊技状態とする）。
【０１９３】
また、停止時間制御手段（遊技制御装置３０）は、予め定められた複数の延長停止時間を設定可能とし、特定遊技状態継続数選択手段（遊技制御装置３０）が選択した特定遊技状態を終了させることとなる特図変動表示ゲームの回数に応じて、設定する延長停止時間を選択するようにしてもよい。この場合、特定遊技状態継続数選択手段は、特定遊技状態が終了することとなる特図変動表示ゲームの回数（時短回数）が多い場合は、少ない場合よりも長い延長停止時間を選択する確率を高めるように制御する。また、停止期間演出手段（演出制御装置４０）は停止時間制御手段が選択した延長停止時間に応じた演出ゲーム或いは特定遊技状態の終了を報知する演出を行うようにする。このようにすれば、特定遊技状態の継続可能性に応じた実行時間で演出ゲームを行うことができ、特定遊技状態の継続に対する期待感を高められるし演出ゲームの興趣も向上する。
【０１９４】
また、予告手段（演出制御装置４０）は、延長停止時間中に発生した特図始動記憶を対象とした予告を、延長停止時間以外で発生した特図始動記憶を対象とする予告よりも高い確率で発生するようにしてもよい。この場合、結果が大当りとなる特図始動記憶を対象とした予告の発生率を高めるようにするが、結果が大当りとなる特図始動記憶が存在する可能性は低いので、外れとなるＳＰリーチを対象とした予告の発生率を高めるようにすることが望ましい。このようにすれば、延長停止時間の後の特図始動記憶に対する期待感を高めることができるし、延長停止時間中における遊技者の止め打ちを防止できる。
【０１９５】
また、停止時間制御手段（遊技制御装置３０）が延長停止時間を設定することとなる特図変動表示ゲームに対して、リーチ（或いはＳＰリーチ）を発生させる変動パターンを強制的に設定する変動パターン強制設定手段（遊技制御装置３０あるいは演出制御装置４０）を備えるようにしてもよい。このようにすれば、特定遊技状態が終了となる特図変動表示ゲームに対する期待感を高めることができるし、変動パターンの変化により特定遊技状態が終了することをより明確にすることができる。
【０１９６】
また、特定遊技状態継続数選択手段（遊技制御装置３０）の選択肢として設定されている回数と同回数目の特図変動表示ゲームに対して、リーチ（或いはＳＰリーチ）を発生させる変動パターンを強制的に設定する変動パターン強制設定手段（遊技制御装置３０あるいは演出制御装置４０）を備えるようにしてもよい。このようにすれば、特定遊技状態中の注目する回数の特図変動表示ゲームをより明確にすることができるし、その特図変動表示ゲームに対する期待感を高めることができる。
【０１９７】
また、予告手段（演出制御装置４０）は、特定遊技状態継続数選択手段（遊技制御装置３０）の選択肢として設定されている回数と同回数目の特図変動表示ゲームの実行を境にして、特定遊技状態における予告の発生率を変更する予告発生率変更手段（演出制御装置４０）を備えてもよい。例えば、時短回数を３０回、５０回、１００回から選択可能として、１００回が選択された場合において、３０回目の特図変動表示ゲームを境にして、予告の発生率を高めるようにする。同様に５０回目の特図変動表示ゲームが終了した後は更に予告の発生率を高める。このようにすれば、特定遊技状態が継続することに対応して予告の発生率が高くなり、遊技者の期待感を極めて高めることができる。
【０１９８】
また、常時２Ｒの大当り（第２の特別遊技状態）の予告報知を禁止するようにしたが、常時２Ｒの大当りの予告報知も行うようにしても良いし、特定遊技状態中（時短遊技状態中）以外に２Ｒの大当りの予告報知も行うようにしても良い。また、常時２Ｒの大当り（第２の特別遊技状態）の予告報知を禁止するようにしたが、特定遊技状態中における特図変動表示ゲームの実行回数が特定回数に達する前は２Ｒの大当り（第２の特別遊技状態）の予告報知を禁止し、特定遊技状態中における特図変動表示ゲームの実行回数が特定回数に達した場合には、２Ｒの大当りも予告報知の対象としてもよい。
【０１９９】
すなわち、特別遊技状態には、所定期間実行される第１の特別遊技状態と、該第１の特別遊技状態よりも実行期間が短く設定された第２の特別遊技状態とが含まれ、予告手段（演出制御装置４０）は、特定遊技状態中における変動表示ゲームが特定回数に達する以前には第２の特別遊技状態に対する予告報知を禁止するとともに、特定回数に達した以降には当該第２の特別遊技状態に対する予告報知の禁止を解除するようにしても良い。
【０２００】
また、確変図柄での大当りの発生を確率変動状態の発生の条件としているが、全ての大当り終了後に確率変動状態を発生するように構成し、予告報知の制御を特別遊技状態での価値の大きさ（或いは実行期間の長さ）で変化させるようにしても良い。すなわち、１５Ｒ大当り（価値が大きい、実行期間が長い大当り）および２Ｒ大当り（価値が小さい、実行期間が短い大当り）の全てで確率変動状態を発生させるとともに、確率変動状態は、外れ変動表示ゲーム回数が所定回数となった場合に終了するように設定する（いわゆる回数切り）。そして、確率変動状態中における変動表示ゲームの実行回数が特定回数に達する前には、１５Ｒ大当りを対象に予告報知を行うとともに、確率変動状態中における変動表示ゲームの実行回数が特定回数に達した場合には、全ての大当りを対象に予告報知を行うように予告対象を変化させるようにしても良い。
【０２０１】
また、予告手段（演出制御装置４０）は、全ての特別遊技状態を予告対象とした第１予告手段と、所定条件の成立を伴う特別遊技状態を予告対象として第１予告手段とは予告報知態様の異なる第２予告手段と、を備えても良い。そして、例えば特定遊技状態中（確率変動状態および／または時短遊技状態）以外では第１予告手段による予告報知を実行し、特定遊技状態中では第２予告手段による予告報知を実行するようにする。このようにすれば遊技者に対して予告報知の対象を明確にすることができる。特に、確率変動状態や時短遊技状態では変動表示ゲームの変動時間が通常確率状態よりも短縮されることから予告報知態様を異ならせた方が違和感なく報知を行える。また、確率変動状態中に非確変図柄（通常図柄）での大当りの発生を予告してしまうことを防止できる。
【０２０２】
さらに、特定遊技状態中でも第１予告手段を有効とし、第２予告手段による予告報知よりも低い発生割合で第１予告手段による予告報知を発生させるようにしても良い。さらに、この場合、予告対象の始動記憶よりも前に複数の始動記憶が存在する場合に、最初のいくつかの始動記憶の変動表示ゲームで第１予告手段による予告報知を実行し、その後残りの始動記憶で第２予告手段による予告報知を実行することで予告報知を発展させる発展予告制御手段を備えるようにしてもよい。このようにすればより興趣が向上するし、特定遊技状態の発生に対する期待感を高めることができる。なお、予告報知が発展した場合には必ず大当りとなるように制御しても良い。
【０２０３】
また、特定遊技状態中における変動表示ゲームの実行回数が特定回数に達する前には第２予告手段を有効とし、特定遊技状態中における変動表示ゲームの実行回数が特定回数に達した後には第１予告手段を有効としてもよい。このようにすれば、遊技者に対して予告報知の対象を明確にでき遊技者心理に対応した効果的な予告報知が行える。また、特定遊技状態中における変動表示ゲームの実行回数が特定回数に達する前でも第１予告手段を有効とし、第２予告手段による予告報知よりも低い発生割合で第１予告手段による予告報知を発生させるようにしても良い。また、上述の実施形態の遊技機において、特定遊技状態の発生中以外でも第２予告手段による予告報知を有効（作動可能）とするようにしてもよい。
【０２０４】
すなわち、予告手段（演出制御装置４０）は、全ての特別遊技状態を予告対象とした第１予告手段（演出制御装置４０）と、所定条件の成立を伴う特別遊技状態を予告対象として第１予告手段とは予告報知態様の異なる第２予告手段（演出制御装置４０）と、を備え、予告対象の始動記憶よりも前に複数の始動記憶が存在する場合に、先に消化される所定数の始動記憶に基づく変動表示ゲームにおいて第１予告手段による予告報知を実行し、その後残りの始動記憶に基づく変動表示ゲームで第２予告手段による予告報知を実行する発展予告制御手段（演出制御装置４０）を備えるようにしても良い。
【０２０５】
また、予告手段は、はずれとなる始動記憶を対象とする予告では選択されない予告を実行する特別予告手段を備えるようにしても良い。すなわち、特別予告手段による予告報知が実行された場合は大当りが確定することとなる。このようにすれば遊技者の期待感を極めて高めることができる。なお、特別予告手段に、全ての特別遊技状態を予告対象とした第１特別予告手段と、所定条件の成立を伴う特別遊技状態を予告対象として第１特別予告手段とは予告報知態様の異なる第２特別予告手段を備えるようにしても良い。
【０２０６】
また、予告手段は、特定遊技状態中（例えば、確率変動状態）の変動表示ゲーム回数が所定数（例えば、２００回）以上となった場合には、はずれとなる変動表示ゲームで予告報知を作動させないようにするはずれ予告停止手段を備えても良い。すなわち、特定遊技状態となっても次回の特別遊技状態がなかなか発生しないと遊技者はイライラすることとなるが、このような場合にははずれの予告報知が行われるとイライラ感をさらに高めてしまうので、これを防止できる。
【０２０７】
以上のような遊技機１００は、複数の識別情報による変動表示ゲームの停止結果態様が特別結果態様となった場合に、遊技者にとって有利な特別遊技状態を発生させるようにした遊技機１００であって、変動表示ゲームを実行させる権利を所定数の範囲内で始動記憶として記憶可能な始動記憶手段（遊技制御装置３０）と、始動記憶手段に記憶されて未だ変動表示ゲームの実行前の始動記憶を対象として、対象となる変動表示ゲームよりも以前から当該変動表示ゲームの結果を予告する予告手段（演出制御装置４０）と、始動記憶手段に記憶された始動記憶により変動表示ゲームを連続して実行させる場合に、今回の変動表示ゲームの停止結果態様を導出してから次回の変動表示ゲームを開始する間に停止時間を設定する停止時間制御手段（遊技制御装置３０）を備え、停止時間制御手段は、通常停止時間と、該通常停止時間よりも時間が長い延長停止時間とを設定可能とし、予告手段は、延長停止時間の後に実行される変動表示ゲームの結果について、延長停止時間の終了前に予告を行うことを禁止する予告禁止手段（演出制御装置４０）を備えている。
【０２０８】
したがって、予告手段は、延長停止時間の後に実行される変動表示ゲームの結果について、延長停止時間の終了前に予告を行うことを禁止する予告禁止手段を備えたので、変動表示ゲームの停止時間を延長しても予告を効率よく行うことができる。すなわち、延長停止時間の終了前に予告が行われて当該予告の対象となる特図変動表示ゲームが延長停止時間の後に行われるような延長停止時間を跨ぐ予告が禁止されることとなる。これにより、延長停止時間の挿入により予告と結果の関連が明確でなくなる等、予告が効率よく行えないといったことを防止できる。
【０２０９】
また、始動記憶に対応して記憶されている特別遊技状態の発生を決定するための大当り乱数の値を、当該始動記憶に対応する変動表示ゲームの実行前に事前に判定する大当り事前判定手段（遊技制御装置３０）と、始動記憶に対応して記憶されている変動表示ゲームの変動パターンを決定するための変動パターン乱数の値を、当該始動記憶に対応する変動表示ゲームの実行前に事前に判定する変動パターン事前判定手段（遊技制御装置３０）と、を備え、予告手段（演出制御装置４０）は、大当り事前判定手段と変動パターン事前判定手段の判定結果に基づいて予告を行うようにしている。
【０２１０】
したがって、予告手段は、大当り事前判定手段と変動パターン事前判定手段の判定結果に基づいて予告を行うので、予告により特別遊技状態の発生および特定の変動パターンでの変動表示ゲームの発生に対する期待感を高めることができる。
【０２１１】
また、予告手段（演出制御装置４０）は、予告の対象となる変動表示ゲームよりも以前に実行される複数の変動表示ゲームに亘って連続的に予告を行うものとし、予告禁止手段（演出制御装置４０）は、延長停止時間が設定される変動表示ゲームの後に実行される変動表示ゲームの結果について、延長停止時間が間に設定される複数の変動表示ゲームに亘る連続的な予告を禁止するようにしている。
【０２１２】
したがって、予告手段は、予告の対象となる変動表示ゲームよりも以前に実行される複数の変動表示ゲームに亘って連続的に予告を行うものとし、予告禁止手段は、延長停止時間が設定される変動表示ゲームの後に実行される変動表示ゲームの結果について、延長停止時間が間に設定される複数の変動表示ゲームに亘る連続的な予告を禁止するので、変動表示ゲームの停止時間を延長しても予告を効率よく行うことができる。すなわち、延長停止時間の前や途中から延長停止時間の後に行われる特図変動表示ゲームに亘って連続的に行われるような延長停止時間を跨ぐ連続的な予告が禁止されることとなる。これにより、延長停止時間の挿入により予告と結果の関連が明確でなくなる等の予告に対する不都合や、連続的な予告が明確でなくなったりテンポよく連続的な予告が実行できなかったりする等の連続的な予告に対する不都合を防止でき、連続的な予告が効率よく行えないといったことを防止できる。
【０２１３】
また、停止時間制御手段（遊技制御装置３０）により設定された延長停止時間において、所定の演出を行う停止期間演出手段（演出制御装置４０）を備えている。
【０２１４】
したがって、停止時間制御手段により設定された延長停止時間において、所定の演出を行う停止期間演出手段を備えたので、延長された停止時間内で期待感や興趣の高い演出を行うことが可能となる。なお、このような期待感や興趣の高い演出を行う延長停止時間を跨ぐ連続的な予告が禁止されるようになっているので、延長停止時間での演出の興趣が損なわれることがない。
【０２１５】
また、開状態と閉状態とに変換可能に構成されるとともに遊技球の入賞に基づき変動表示ゲームの実行権利を付与する普通電動入賞装置７と、特別遊技状態の終了後、所定回数変動表示ゲームが実行される期間を限度として、普通電動入賞装置７の変換制御を変更することで変動表示ゲームの実行権利の獲得を容易にした特定遊技状態を発生させる特定遊技状態発生手段（遊技制御装置３０）と、を備え、停止時間制御手段（遊技制御装置３０）は、特定遊技状態が終了する所定回数目の変動表示ゲームに対して延長停止時間を設定するものとし、停止期間演出手段（演出制御装置４０）は、延長停止時間において特定遊技状態が終了する旨を報知するための演出を行うようにしている。
【０２１６】
したがって、停止時間制御手段は、特定遊技状態が終了する所定回数目の変動表示ゲームに対して延長停止時間を設定するものとし、停止期間演出手段は、延長停止時間において特定遊技状態が終了する旨を報知するための演出を行うので、停止時間の延長により特定遊技状態の終了を確実に報知することができる。また、特定遊技状態の終了を特別遊技状態の発生時に予め報知するよりも、特定遊技状態中の期待感を高めることができる。なお、このような期待感や興趣の高い演出を行う延長停止時間を跨ぐ連続的な予告が禁止されるようになっているので、延長停止時間での演出の興趣が損なわれることがない。
【０２１７】
また、特定遊技状態発生手段（遊技制御装置３０）は、該特定遊技状態が終了することとなる変動表示ゲームの回数を予め定められた複数通りの回数のうちから選択する特定遊技状態継続数選択手段（遊技制御装置３０）を含み、停止時間制御手段（遊技制御装置３０）は、特定遊技状態が終了することとなる変動表示ゲームの実行回数となる前であっても特定遊技状態継続数選択手段の選択肢として設定されている回数と同回数目の変動表示ゲームに対して延長停止時間を設定するものとし、停止期間演出手段（演出制御装置４０）は、延長停止時間において、その結果により特定遊技状態が継続するか否かを報知する演出ゲームを行うようにしている。
【０２１８】
したがって、停止時間制御手段は、特定遊技状態が終了することとなる変動表示ゲームの実行回数となる前であっても特定遊技状態継続数選択手段の選択肢として設定されている回数と同回数目の変動表示ゲームに対して延長停止時間を設定するものとし、停止期間演出手段は、延長停止時間において、その結果により特定遊技状態が継続するか否かを報知する演出ゲームを行うので、停止時間の延長により特定遊技状態の終了を確実に報知することができる。また、特定遊技状態の終了を特別遊技状態の発生時に予め報知するよりも、特定遊技状態中の期待感を高めることができるし、特定遊技状態が継続するか否かを興趣性の高い態様で報知することができる。なお、このような期待感や興趣の高い演出を行う延長停止時間を跨ぐ連続的な予告が禁止されるようになっているので、延長停止時間での演出の興趣が損なわれることがない。
【０２１９】
また、予告禁止手段（演出制御装置４０）が予告を禁止した場合に、予告手段（演出制御装置４０）は、延長停止時間が設定された変動表示ゲーム以降の変動表示ゲームにおいて予告を行うようにしている。
【０２２０】
したがって、予告禁止手段が予告を禁止した場合に、予告手段は、延長停止時間が設定された変動表示ゲーム以降の変動表示ゲームにおいて予告を行うので、延長停止時間の設定により予告が中止になってしまうことを防止でき、予告による期待感の向上は維持することができる。
【０２２１】
なお、本発明の遊技機は、遊技機として、前記実施の形態に示されるようなパチンコ遊技機に限られるものではなく、例えば、その他のパチンコ遊技機、アレンジボール遊技機、雀球遊技機などの遊技球を使用する全ての遊技機に適用可能である。
【０２２２】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０２２３】
７      普通電動入賞装置
３０    遊技制御装置（始動記憶手段、停止時間制御手段、大当り事前判定手段、変動パターン事前判定手段、特定遊技状態発生手段、特定遊技状態継続数選択手段）
４０    演出制御装置（予告手段、予告禁止手段、停止期間演出手段）
１００  遊技機
【図１】
2010259687.tif 000003
【図２】
2010259687.tif 000004
【図３】
2010259687.tif 000005
【図４】
2010259687.tif 000006
【図５】
2010259687.tif 000007
【図６】
2010259687.tif 000008
【図７】
2010259687.tif 000009
【図８】
2010259687.tif 000010
【図９】
2010259687.tif 000011
【図１０】
2010259687.tif 000012
【図１１】
2010259687.tif 000013
【図１２】
2010259687.tif 000014
【図１３】
2010259687.tif 000015
【図１４】
2010259687.tif 000016
【図１５】
2010259687.tif 000017
【図１６】
2010259687.tif 000018
【図１７】
2010259687.tif 000019
【図１８】
2010259687.tif 000020